(57)【特許請求の範囲】
【請求項１】
予め締結され再締結可能なパンツを形成する方法であって、
各々が、第１及び第２ウエスト領域と、前記ウエスト領域を互いに接続する股領域と、前記第１ウエスト領域の内面に配置されて横方向に最初の距離だけ互いに離間された２つの第１締結部材と、前記第２ウエスト領域の外面に配置されて各々が前記第１締結部材の各々に再締結可能に係合するようになった２つの第２締結部材とを有する複数の個々の物品を用意し、
前記第１ウエスト領域と前記第２ウエスト領域との内面が互いに合わさるように前記物品を折り畳むこと、前記第２締結部材が反転するように前記第２ウエスト領域を折り畳むこと、及び前記第１締結部材を反転させることなく前記第１締結部材が最初の距離に等しくない変位後の距離だけ互いに離間されるように前記第１締結部材を横方向に変位させることによって、各々の前記第１締結部材と前記第２締結部材とを互いに対向させ、
各々の前記第１締結部材と前記第２締結部材とを互いに対向させた後に、前記第１及び第２締結部材を係合する、
ことからなる方法。
【請求項２】
予め締結され再締結可能なパンツを形成する方法であって、
各々が、第１及び第２ウエスト領域と、前記ウエスト領域を互いに接続する股領域と、前記第１ウエスト領域の内面に配置されて横方向に最初の距離だけ互いに離間された２つの第１締結部材と、前記第２ウエスト領域の内面に配置されて各々が前記第１締結部材の各々に再締結可能に係合するようになった２つの第２締結部材とを有する複数の個々の物品を用意し、
前記第１ウエスト領域と前記第２ウエスト領域との内面が互いに合わさるように前記物品を折り畳むこと、及び前記第１締結部材を反転させることなく前記第１締結部材が最初の距離に等しくない変位後の距離だけ互いに離間されるように前記第１締結部材を横方向に変位させることによって、各々の前記第１締結部材と前記第２締結部材とを互いに対向させ、
各々の前記第１締結部材と前記第２締結部材とを互いに対向させた後に、前記第１及び第２締結部材を係合する、
ことからなる方法。
【請求項３】
前記締結部材が前記ウエスト領域の側部パネルに結合された別個の要素からなることを特徴とする請求項１又は２に記載の方法。
【請求項４】
前記第１ウエスト領域が相対する側部パネルを含み、前記締結部材が前記側部パネルの一体部分からなることを特徴とする請求項１又は２に記載の方法。
【請求項５】
前記変位後の距離が、前記最初の距離より短いことを特徴とする請求項１又は２に記載の方法。
【請求項６】
前記第１締結部材の横方向の変位が、前記締結部材の間に配置された第１ウエスト領域の一部をギャザー寄せすることを含むことを特徴とする請求項５に記載の方法。
【請求項７】
前記パンツは吸収体シャーシを備え、前記第１ウエスト領域のギャザー寄せされた部分が、吸収体シャーシを含むことを特徴とする請求項６に記載の方法。
【請求項８】
前記第１ウエスト領域が相対する側部パネルを含み、前記第１ウエスト領域のギャザー寄せされた部分が、側部パネルを含むことを特徴とする請求項６に記載の方法。
【請求項９】
前記第１ウエスト領域のギャザー寄せされた部分が、第１締結部材の一部を含むことを特徴とする請求項６に記載の方法。
【請求項１０】
前記第１締結部材の横方向の変位が、前記第１ウエスト領域の第１締結部材を含む部分と前記第１ウエスト領域の別の部分との間に高さの差を生じさせることを含むことを特徴とする請求項５に記載の方法。
【請求項１１】
前記パンツは吸収体シャーシを備え、前記第１ウエスト領域が吸収体シャーシ及び相対する側部パネルを含み、前記締結部材が前記側部パネルに配置され、前記吸収体シャーシ及び前記側部パネルが、該吸収体シャーシと該側部パネルの少なくとも一部の間に高さの差が生じるように互いに対して再配置されることを特徴とする請求項５に記載の方法。
【請求項１２】
前記第１締結部材の横方向の変位が、前記第１ウエスト領域を横方向に収縮させることを含むことを特徴とする請求項５に記載の方法。
【請求項１３】
前記変位後の距離が前記最初の距離より大きいことを特徴とする請求項１又は２に記載の方法。
【請求項１４】
前記第１締結部材の横方向の変位が、前記第１ウエスト領域内の活性化可能な材料を加熱させることによって該材料の構造を変えることを含むことを特徴とする請求項１３に記載の方法。
【請求項１５】
前記第１締結部材の横方向の変位が、前記第１ウエスト領域内で材料を横方向に伸長させることを含むことを特徴とする請求項１３に記載の方法。
【請求項１６】
予め締結され再締結可能なパンツを形成する方法であって、
各々が、第１及び第２ウエスト領域と、前記ウエスト領域を互いに接続する股領域と、相対する第１及び第２主表面と、前記ウエスト領域の各々の相対する２組の２つの側部パネルと、各々が前記第１ウエスト領域の側部パネルの各々の第１表面に配置されて横方向に最初の距離だけ互いに離間された２つの第１締結部材と、各々が前記第２ウエスト領域の側部パネルの各々の第２表面に配置されて前記第１締結部材の各々に再締結可能に係合するようになった２つの第２締結部材とを有する複数の個々の物品を用意し、
前記第１ウエスト領域と前記第２ウエスト領域との内面が互いに合わさるように前記物品を折り畳むこと、前記第２締結部材が反転するように前記第２ウエスト領域の側部パネルを修正して、この修正後に該第２締結部材が反転後の距離だけ離間されるようにすること、及び前記第１締結部材が最初の距離に等しくない反転後の距離にほぼ等しい変位後の距離だけ互いに離間されるように前記第１締結部材を横方向に変位させることによって、各々の前記第１締結部材と前記第２締結部材とを互いに対向させ、
各々の前記第１締結部材と前記第２締結部材とを互いに対向させた後に、前記第１及び第２締結部材を係合する、
ことからなる方法。
【請求項１７】
予め締結され再締結可能なパンツを形成する方法であって、
各々が、同じ幅の第１及び第２ウエスト領域と、前記ウエスト領域を互いに接続する股領域と、相対する第１及び第２主表面と、前記ウエスト領域の各々の相対する２組の２つの側部パネルと、各々が前記第１ウエスト領域の各々の側部パネルの第１表面に配置されて横方向に最初の距離だけ互いに離間された２つの第１締結部材と、前記第２ウエスト領域の側部パネルの第２表面に配置されて横方向に前記最初の距離とほぼ同じ距離だけ互いに離間された２つの第２締結部材とを有し、前記第１及び第２締結部材が互いに再締結可能に係合するようになった複数の個々の物品を用意し、
前記第１ウエスト領域と前記第２ウエスト領域との内面が互いに合わさるように前記物品を折り畳むこと、前記第２締結部材が反転するように前記第２ウエスト領域の側部パネルを修正して、この修正後に該第２締結部材が前記最初の距離より短い反転後の距離だけ離間されるようにすること、及び前記第１締結部材が最初の距離より短く反転後の距離にほぼ等しい変位後の距離だけ互いに離間されるように前記第１締結部材を横方向に変位させることによって、各々の前記第１締結部材と前記第２締結部材とを互いに対向させ、
各々の前記第１締結部材と前記第２締結部材とを互いに対向させた後に、前記第１及び第２締結部材を係合して、複数の予め締結され再締結可能なパンツを形成し、
前記複数の予め締結され再締結可能なパンツをシール・パッケージに包装する、
ことからなる方法。
【発明の詳細な説明】
【０００１】
（技術分野）
本発明は、衣類を形成する方法に関し、より詳細には再締結可能な衣類を形成する方法に関する。
【０００２】
（背景技術）
再締結可能な衣類には、おむつ、トレーニングパンツ、吸収性水着、女性用衛生製品、及び失禁用製品などの使い捨て吸収性衣類が含まれる。典型的な使い捨て吸収性衣類は、液体透過性の身体側ライナと液体不透過性の外側カバーとの間に配置された吸収組立体を含む複合構造体として形成される。これらの構成材は、弾性材料及び収容構造体などの他の材料及び特徴と組み合わせて、使用目的に合った製品を形成することができる。
当該技術に不足し、必要とされるのは、再締結可能な衣類を形成するための改善された方法である。
【０００３】
（発明の開示）
上記した当該技術分野における満たされていない必要性に対して、再締結可能な衣類を形成する新しい方法が見出された。１つの態様において、本発明は、予め締結され再締結可能なパンツを形成する方法に関するものであり、該方法は、第１及び第２ウエスト領域と、ウエスト領域を相互に接続する股領域と、第１ウエスト領域に配置され、最初の距離だけ互いに離間される第１締結部材と、第２ウエスト領域に配置され、第１締結部材に再締結可能に係合するようになった第２締結部材とを有する複数の個々の物品を用意し、第１締結部材が最初の距離に等しくない変位後の距離だけ互いに離間されるように第１締結部材を横方向に変位させ、第１締結部材を横方向に変位させた後に第１締結部材と第２締結部材を係合させるステップを含む。
【０００４】
第１ウエスト領域は、第１締結部材が互いに接近して配置される、すなわち、変位後の距離が最初の距離より短くなるように修正することができる。第１ウエスト領域は、これらに限定する意味ではないが、第１ウエスト領域の一部をギャザー寄せする、押しつぶす、折り畳む、プリーツ加工する、波形をつける、皺加工する、収縮させる、ネック加工する、形つけする、成形する、湾曲させる、分離する、及び隆起させる等、並びにこれらの組み合わせを含む様々な方法によって、締結部材が横方向に変位して互いにより近接するように修正することができる。
【０００５】
具体的な実施形態の１つにおいて、締結部材は、該締結部材の間に位置する第１ウエスト領域の一部を互いにギャザー寄せすることによって、互いにより近接して配置することができる。こうしたギャザー寄せは、締結部材を互いにより近接するように移動させる。側部パネルは、例えば溝の中で、又はバー、ロッド、チューブ、プレートなどの周りでギャザー寄せすることができ、これらは全て均一に形成又は成形することができる。ウエスト領域の構成材をギャザー寄せする又は押しつぶして、修正された横方向の直線距離を定めるために、真空装置、成形ドラム、成形ロール、加圧空気ノズル、収束するコンベヤ又はチェーン、垂直真空ベルト、カムシステムなど、並びにこれらの組み合わせを含む種々の装置を使用することができる。こうした装置は通常、横断面を見ると分かるようにパンツの形を修正する。
【０００６】
ギャザー寄せされる部分は、吸収体シャーシ、吸収体シャーシの一体部分か又は吸収体シャーシに結合された別個の要素のいずれかである側部パネル、及び締結部材自体の一部を含み得る。例えば、一方のウエスト領域の側部パネルは、それと反対側のウエスト領域に配置された１つ又はそれ以上の嵌合締結部材に再締結可能に係合することによって締結部材として機能するようにしてもよい。側部パネルの横方向外側部分が互いにより近づくように、側部パネルの横方向内側部分をギャザー寄せすることができる。
【０００７】
これに関連した実施形態において、第１ウエスト領域の締結部材を含む部分と第１ウエスト領域の別の部分との間に高さの差を生じさせ、隆起部を形成することによって、締結部材を互いにより近接して配置することができる。説明のために、締結部材が側部パネルに配置され、吸収体シャーシ及び／又は側部パネルが吸収体シャーシと側部パネルの少なくとも一部の間に高さの差が生じるように再配置される。この高さの差を生じさせることによって、締結部材が横方向に近づくように引き寄せられる。この高さの差は、ウエスト領域の一部を変位させるために、成形ロール、成形ドラム、多経路コンベヤ、ガイド面、流体位置決め装置などを含む何らかの機構によって作成される。締結部材を互いに近くに移動させる高さ距離を生じさせることができる特定の装置は、出願番号不明の米国特許出願である２００１年５月１５日付のＢ．Ｒ．Ｖｏｇｔ他の発明の名称「衣類側部パネル運搬システム及び方法」と、出願番号不明の米国特許出願である２００１年５月１５日付けのＤ．Ａ．Ｍａｘｔｏｎ他の発明の名称「衣類側部パネルの再締結可能な結合」に開示されており、これらの出願は引用によりここに組み入れられる。
【０００８】
さらに別の実施形態においては、第１ウエスト領域を収縮させることによって、締結部材をさらに近くに配置することができる。パンツは、例えば、活性化するとパンツの横軸に平行な方向に収縮するようになった活性化可能な収縮性の材料を含むことができる。好適な活性化方法は、これらに限定する意味ではないが、紫外線、赤外線、マイクロ波又はガンマ線放射などの電磁放射による加熱、化学修飾、及び収縮性材料の圧縮又は収縮等といった収縮性の材料にエネルギーを与える手段のいずれも含み得る。ウエスト領域を横方向に収縮させるために、材料を衣類に適用する前に材料を伸ばし、時間の経過により材料を自然に収縮させるといった潜在的な活性化も用いることができる。前及び背ウエスト領域は、同じ又は異なる度合いに収縮するように構成することができる。異なる量又は種類の材料を使用することによって、一方のウエスト領域をもう一方のウエスト領域より多く収縮するようにすることができる。
【０００９】
収縮性の材料は、活性化によって直ちに又はその後に収縮するようになった材料のどれを含んでいてもよい。収縮性の材料は、エラストマー又は非エラストマーの材料から構成することができる。好適な非エラストマーの収縮性材料は、これらに限定する意味ではないが、延伸フィルムなど並びにこれらのラミネートから構成することができる。好適なエラストマーの収縮性材料は、これらに限定する意味ではないが、ＬＹＣＲＡ（登録商標）材料、エラストマー材料、ラテックスゴム又は合成ウレタンなど並びにこれらのラミネートから構成することができる。特定の実施形態において、収縮性の材料は、その他の安定な弾性状態に対して不安定な状態をもつエラストマー材料から構成することができる。そのような実施形態においては、収縮性の材料は、必ずしもそうである必要はないが、不安定状態においてエラストマー特性をもつことができる。
【００１０】
或いは、第１ウエスト領域は、第１締結部材をさらに離して配置する、すなわち、変位後の距離が最初の距離より大きくなるように修正されてもよい。第１ウエスト領域の締結部材を横方向にさらに離間するように変位させるために、これらに限定する意味ではないが、材料の構造を変えること、材料を伸ばすこと等、並びにこれらの組み合わせを含む種々の方法を用いることができる。締結部材をさらに離間するように移動させるために、第１ウエスト領域をつかんで横方向に引っ張るための幅出機又は類似の装置、角度の付いた真空コンベヤなどの収束するコンベヤ、角度の付いたニップロール等、並びにこれらの組み合わせといった種々の装置を使用することができる。
【００１１】
開示された方法は、相対する表面に配置された締結部材を備えるパンツの効果的な製造方法を与え得る。例えば１つの実施形態において、本発明は、予め締結され再締結可能なパンツを形成する方法に関するものであり、該方法は、各々が第１及び第２ウエスト領域と、ウエスト領域を互いに接続する股領域と、相対する第１及び第２主表面と、ウエスト領域の各々の相対する側部パネルと、第１ウエスト領域の側部パネルの第１表面に配置された第１締結部材と、第２ウエスト領域の側部パネルの第２表面に配置された第２締結部材とを有し、第１締結部材が最初の距離だけ互いに離間され、第１及び第２締結部材が互いに再締結可能に係合するようになった複数の個々の物品を用意し、第２締結部材が反転するように第２ウエスト領域の側部パネルを修正して、この修正後に該第２締結部材が反転後の距離だけ互いに離間されるようにし、第１締結部材が最初の距離に等しくない反転後の距離にほぼ等しい変位後の距離だけ互いに離間されるように第１締結部材を横方向に変位させ、第１締結部材を横方向に変位させ、第２締結部材を反転させた後に、第１締結部材と第２締結部材を係合するステップを含む。
【００１２】
特定の実施形態において、第１締結部材と第２締結部材は、ほぼ同じ最初の距離だけ互いに離間することができる。締結部材を適正に位置合わせして係合するために、一方の締結部材の対の変位後の距離を、別の締結部材の対の反転後の距離に実質的に等しくすることができ、それにより締結部材を互いに横方向に位置合わせして簡単に係合することができる。他の実施形態において、第１締結部材の間の最初の距離は、第２締結部材の間の最初の距離に等しい必要はない。ここで用いられる「最初の距離」、「変位後の距離」、及び「反転後の距離」という用語は全て、２つの締結部材の間の横方向の直線距離を指す。「最初の」距離及び「後の」距離は、特定の変位又は反転の前後に測定される。ここで用いられる「横方向の直線距離」とは、衣類の表面の形状に関係なく、衣類の横軸に平行な直線で測定された２つの締結部材の間の距離を指す。測定の際には、横方向に何らかの力をかける場合もあるし、かけない場合もある。
【００１３】
ここで用いられる「横方向に変位させる」という用語は、反転させることなく２つの締結部材の間の横方向の直線距離を変えること、すなわち、締結部材をフリッピングすることを指す。したがって、ここで用いられるファスナを横方向に変位させるという用語だけでは、ウエスト領域を修正して最初に内側に面するファスナを外側向きに変えること又は最初に外側に面するファスナを内側向きに変えることを含まない。
【００１４】
締結部材の間の横方向の距離を変えることは、様々な衣類を形成するのに有用である。ウエスト領域は同じ横方向の幅をもっていてもよいし、異なる幅をもっていてもよい。さらに、ウエスト領域のどちらか又は両方の締結部材を、横方向に変位させることができる。したがって、「第１ウエスト領域」という用語は、前ウエスト領域又は背ウエスト領域のいずれかに対応させることができる。さらに、どちらかのウエスト領域の締結部材を反転させることができ、特定の実施形態においては、一方のウエスト領域の締結部材を横方向に変位させ、かつ反転させることができる。
【００１５】
衣類は、種々の機構によって、股領域を介して半分に折り畳むことができる。ウエスト領域を修正する、及び／又は、ウエスト領域の締結部材を横方向に変位させる前、間、及び／又は後に、折り畳みを行うことができる。同様に、第１ウエスト領域を修正する及び／又は横方向に変位させる前、間、及び／又は後に、第２ウエスト領域を修正する、折り畳む、又は別の手法で再配置することができる。製品が半分に折り畳まれる間は、側部パネルの分離と締結部材の分離を維持することが望ましい。締結部材は、パンツを折り畳むのと同時に又はその後に係合させることができる。
【００１６】
締結部材は、パンツの別の構成材に取り付けられた別個の要素から構成することができる。或いは、締結部材は、身体側ライナ、外側カバー、使用されるならば別個の側部パネル、使用されるならば一体型の側部パネル、使用されるならばシャーシを横方向に横切って延びるベルト型の構成材などといったパンツの別の要素の一部から構成することができる。したがって、特に指定のない限り、「締結部材」という用語は、ファスナとして機能する別個の構成材と、ファスナとして機能する側部パネル、ライナ、外側カバーなどの材料の領域との両方を含む。さらに、単一の材料は、材料の異なる領域が別個のファスナとして機能する限りは多数の締結部材を定めることができる。締結部材は、側部パネルの上に、又は吸収体シャーシの上といった側部パネルの間に、或いはこの２つの組み合わせに配置することができる。締結部材は、正方形、長方形、円形、湾曲形、楕円形、不規則形などのどんな所望の形状をもつこともできる。締結部材の各々は、単一の締結部材又は多数の締結部材を含むことができる。
【００１７】
締結部材は、接着式のファスナ、粘着式のファスナ、機械式のファスナなどの吸収性物品に適したどんな再締結可能なファスナも含む。特定の実施形態において、締結部材は、性能を向上させるために機械式の締結部材を含む。好適な機械式の締結部材は、フック、ループ、球状、マッシュルーム、矢じり、棒上に球が付いた形、雄雌嵌合部材、バックル、スナップなどの相互に鎖錠される幾何学的な形の材料によって与えられる。特定の実施形態において、締結部材と嵌合締結部材は、フック・ループ式の締結部材からなる。当業者であれば、締結部材と嵌合締結部材との間に所望のレベルの固定が得られるように、フック・ループ式ファスナの形、密度、及びポリマー組成を選択できることを理解するであろう。より活動的なフック材料は、より大きい平均フック高さ、より多い割合で方向が揃ったフック、又はより活動的なフックの形をもった材料からなる。
【００１８】
再締結可能な締結システムは、パンツ状の製品の内部の点検をより簡単にする。締結システムはまた、必要であればパンツを迅速にかつ容易に取り外せるようにする。これは特にパンツに糞尿が収容された時に有益である。トレーニングパンツについては、世話する人が、幼児の靴や衣服を脱がす必要なくパンツ状の製品を完全に取り外して、新しいものに取り替えることができる。再締結可能な締結システムを、トレーニングパンツ、水着、おむつパンツ、失禁用衣類、女性用ケア製品、ヘルスケア衣類、公共機関、産業及び一般消費者向けの衣料品、或いは機械式又は接着式のファスナを用いるその他の衣類を含む様々な吸収製品及び非吸収製品に用いることができる。
【００１９】
吸収性物品は、身体から排出される種々の排出物を吸収及び収容するために、着用者の身体の近傍に装着されるようになっている。吸収性物品は、着用者にパンツ状の製品を提供するために予め締結されることが望ましい。この製品は、従来のトレーニングパンツのように引っぱり上げて装着することができ、その後におむつ状の製品のように容易に点検したり取り外したりすることができる。さらに、この製品は、パンツのようにではなくおむつと同じように装着することができる。壊れやすい点結合のような補助的な取り外し可能な締結手段を使用して、使用者が意図的にファスナを外すまで吸収性物品をパンツ形に維持することができる。
【００２０】
本発明に用いるのに適した特定のトレーニングパンツは、Ａ．Ｆｌｅｔｃｈｅｒ他の１９９９年１１月２２日付けの発明の名称「再締結可能な側部シームを備える吸収性物品」の米国特許出願第０９／４４４，０８３号に開示され、その全体を引用によりここに組み入れる。この引用特許には、トレーニングパンツを構成するための種々の材料及び方法が記載される。トレーニングパンツはまた、Ｖａｎ  Ｇｏｍｐｅｌ他の１９９０年７月１０日付けの米国特許第４，９４０，４６４号、及びＢｒａｎｄｏｎ他の１９９８年６月１６日付けの米国特許第５，７６６，３８９号に記載される方法及び装置を用いて構成され、これらも引用によりここに組み入れる。
【００２１】
（定義）
本明細書の内容において、以下の各用語又は語句は、以下の１つ又はそれ以上の意味を有する。
「取り付けられる」とは、２つの要素を接合する、接着する、接続する、結合すること等を指す。各々が介在する要素に直接取り付けられる場合のように、互いに直接又は互いに間接的に取り付けられる場合に、２つの要素が互いに取り付けられると考えられる。
「含む」とは、包括的即ち幅広い解釈ができるものであり、付加的な列挙されない要素又は方法段階を除外するものではない。
「接続される」とは、２つの要素を接合する、接着する、結合する、取り付けること等を指す。互いに直接接続される、又は各々が介在する要素に直接接続される場合のように互いに間接的に接続される場合に、２つの要素が互いに接続されると考えられる。
【００２２】
「使い捨て」とは、再使用するために洗濯されるか又は他の手法により復旧されるのではなく、制限された使用の後に廃棄されるように設計される物品を指す。
「配置される」「設置される」その他これに類するものは、１つの要素が他の要素と一体化されること、すなわち１つの要素が、別の要素に結合された、又は別の要素と共に置かれた、或いは別の要素の付近に置かれた別の構造体とされることを意味する。
【００２３】
「弾性の」、「弾性を付与された」及び「弾性」とは、変形を生じさせる力を除いた後に、元の寸法及び形状に戻る傾向があるという材料又は複合材の特性を意味する。
「エラストマーの」とは、弛緩状態のときの長さの少なくとも２５パーセントまで伸びることができ、適用された力が解除されると、その伸びの少なくとも１０パーセントまで回復する材料又は複合材を指す。一般に、エラストマー材料又は複合材は、弛緩状態のときの長さの少なくとも１００パーセント、より好ましくは少なくとも３００パーセントまで伸びることができ、適用された力が解除されると、その伸びの少なくとも５０パーセントまで回復することが好ましい。
【００２４】
「布」は、織られた繊維ウェブ、編まれた繊維ウェブ、及び不織繊維ウェブの全てを指すのに用いられる。
「柔軟な」とは、応従性があり、着用者の身体の全体的な形及び輪郭に容易に適合する材料を指す。
「力」は、１つの物体が別の物体に及ぼす物理的な影響力であって、その物体が自由に動ける場合は加速度を生じさせ、その物体が自由に動けない場合は変形を生じさせる。力は単位面積当たりのグラム数で表される。
「図柄」は、吸収性物品上の目に見えるデザインや模様などのいずれをも指す。
【００２５】
「親水性の」とは、繊維に接触する水性液体によって湿潤される繊維又は繊維の表面を表す。材料の湿潤度は、関係する液体と材料の接触角及び表面張力によって説明することができる。特定の繊維材料又は繊維材料の配合物の湿潤性を測定するのに適した装置及び技術は、Ｃａｈｎ  ＳＦＡ‐２２２表面張力分析器システム又はこれと実質的に同等なシステムによって与えられる。このシステムで測定する場合には、９０度より小さい接触角を有する繊維は「湿潤性」すなわち親水性を示し、９０度より大きい接触角を有する繊維は「非湿潤性」すなわち疎水性を示す。
【００２６】
「一体の」とは、互いに結合されるか、共に設置されるか、又は互いに接近して設置された別個の構造体を指すのではなく、単一の単位要素の種々の部分を指すのに用いられる。
「内側」及び「外側」は、吸収性物品の中心に対する位置を指し、具体的には、吸収性物品の縦方向中心及び横方向中心に対して、横方向及び／又は縦方向に近い又は遠い位置を指す。
「層」は、単数形で用いられる場合には、単一の要素又は複数の要素の両方の意味を持ちうる。
【００２７】
単一の層又は多層ラミネートに用いられる場合の「液体不透過性」とは、通常の使用条件では尿などの液体が液体接触点において層又はラミネートの平面にほぼ垂直な方向に層又はラミネートを通過しないことを意味する。液体又は尿は、液体透過性の層又はラミネートの平面に平行に広がるすなわち移送されるが、これはここで使用される場合の「液体透過性」の意味に含まれるとは考えない。
【００２８】
「縦方向」及び「横方向」は、慣習的な意味を有する。縦軸は、物品の平面内に延び、かつ物品の着用時に起立している着用者を右半身及び左半身に二分する垂直面にほぼ平行である。横軸は、縦軸にほぼ垂直な物品の平面内に延びる。図示される物品は、横方向よりも縦方向に長い。
「部材」は単数形で用いられる場合には、単一の要素又は複数の要素の両方の意味を持ちうる。
「不織」及び「不織ウェブ」とは、織物を織る工程又は編む工程の援助なしに形成される材料及び材料ウェブを指す。
【００２９】
「作動的に取り付けられる」とは、弾性部材の別の要素への取り付けに関しては、弾性部材が伸長されて要素に取り付られた又は接続された時、或いは熱又は化学物質で処理された時などに、該要素に弾性特性が与えられることを意味し、非弾性部材の別の要素への取り付けに関しては、該部材と該要素が、意図されたすなわち記載された接合機能を果たすのを許す又は許容する好適な手法のいずれかによって取り付けられることを意味する。接合、取付け、接続などは、いずれかの部材を要素に直接接合する場合のように直接的に行われるか、又は第１部材と第１要素との間に配置された別の部材により間接的に行われる。
【００３０】
「外側カバーの図柄」は、衣類の外面を調べると直接目に見える図柄を指し、再締結可能な衣類に関しては、締結システムが使用中の状態のように係合された時の衣類の外面について言及される。
「恒久的に結合される」とは、吸収性衣類の通常の使用条件下において要素が結合された状態のまま維持されるように、吸収性衣類の２つの要素を接合する、接着する、連結する、取り付けること等を指す。
「再締結可能」とは、取り外し可能に取り付け、分離し、次いで実質的に永久変形又は破断せずに取り外し可能に再び取り付けることができる２つの要素の特性を指す。
【００３１】
「取り外し可能に取り付けられる」、「取り外し可能に係合される」、及びこれらに類する用語は、要素の一方又は両方にかかる分離力のないときは該要素が接続された状態のまま維持される傾向があり、実質的な永久変形又は破断を生じることなく該要素を分離することができるように２つの要素が接続されるすなわち接続可能であることを指す。分離に必要な力は通常、吸収性衣類の着用中に直面する力以上のものである。
「破断」とは、材料の破壊又は引き裂けを意味し、張力試験においては、この用語は、材料が一度に又は段階を踏んで２つの部分に完全に分離することを指し、或いは幾つかの材料については穴があくことを指す。
【００３２】
「延伸結合される」とは、弾性部材が弛緩した状態での長さの少なくとも約２５パーセント伸ばされた状態で別の部材に結合されていることを指す。「延伸結合される」という用語は、弾性部材が他の部材に結合される時に、望ましくは弾性部材の弛緩した状態での長さの少なくとも約１００パーセント伸ばされている状況を指し、より望ましくは少なくとも約３００パーセント伸ばされている状況を指す。
「延伸結合ラミネート」は、１つの層がギャザー寄せ可能な層で、もう１つの層が弾性層である、少なくとも２つの層を有する複合材を指す。この２つの層は、弾性層が伸ばされた状態で互いに接合され、これにより層が弛緩した時にギャザー寄せ可能な層にギャザーが寄る。
【００３３】
「表面」は、空気、気体及び／又は液体を透過すると透過せざるとに関わらず、あらゆる層、フィルム、織布、不織布、ラミネート、複合材などを含む。
「張力」は、物体の伸びを生じさせるか、又は物体内部で伸びに抵抗する釣り合い力を生じさせる傾向をもつ一軸の力を含む。
「熱可塑性」は、熱に曝された時には軟化し、室温まで冷やされた時には実質的に元の状態に戻る材料を表す。
これらの用語は、本明細書の残余の部分において追加の言語を伴って定義される場合もある。
【００３４】
（発明を実施するための最良の形態）
次の詳細な説明と、異なる図面において同様の特徴に同一の符号が付されている添付の図面を参照することによって、本発明の上記の及び他の特徴並びにそれらを達成する方法が更に明らかとなり、本発明自体もより良く理解されるであろう。
【００３５】
本発明の方法及び装置は、様々な衣類の製造に用いることができる。そうした衣類の例には、おむつ、トレーニングパンツ、女性用衛生用品、失禁用製品その他のパーソナルケア又はヘルスケア衣類などの使い捨て吸収性物品や、水泳パンツ、運動着、パンツ及びショーツなどが含まれる。説明の便宜を図り、以下の記載は幼児用トレーニングパンツを製造するための方法及び装置という観点でなされる。具体的には、本方法及び装置は、その開示が引用によりここに組み込まれるＡ．Ｌ．Ｆｌｅｔｃｈｅｒ他により１９９９年１１月２２日に出願された発明の名称「再締結可能な側部シームを備えた吸収性物品」の米国特許出願第０９／４４４，０８３号（２０００年６月２９日付で公開されたＰＣＴ特許出願第ＷＯ００／３７００９号に対応する）に記載の、予め締結された使い捨てトレーニングパンツを製造するためのものとして説明される。
【００３６】
図１から図３までは、トレーニングパンツ２０を製造するための方法及び装置の実施形態の１つを代表して示す。図４においては、分離され、部分的に締結された状態のトレーニングパンツ２０が示されている。トレーニングパンツ２０は、吸収体シャーシ３２及び締結システム８０からなる。吸収体シャーシ３２は、前ウエスト領域２２と、背ウエスト領域２４と、前ウエスト領域及び背ウエスト領域を互いに結合する股領域２６と、着用者に接触するように構成された内面２８と、着用者の衣服に接触するように構成された、内面に相対する外面３０とを定める。図５及び図６をさらに参照すると、吸収体シャーシ３２はまた、一対の横方向に相対する側縁３６と、前ウエスト縁３８及び背ウエスト縁３９を表す一対の縦方向に相対するウエスト縁とを定める。前ウエスト領域２２は前ウエスト縁３８まで一続きであり、背ウエスト領域２４は背ウエスト縁３９まで一続きである。
【００３７】
図示された吸収体シャーシ３２は、長方形又は他のいかなる所望の形状をもとることができる複合構造体３３と、横方向に相対する一対の前側部パネル３４と、横方向に相対する一対の背側部パネル１３４とを備える。複合構造体３３と側部パネル３４及び１３４は、図４に示すように２つ又はそれ以上の独立した要素を備えることもできるし、一体に成形することもできる。一体に成形された側部パネル及び複合構造体は、身体側ライナ、フラップ複合体、外側カバー、その他の材料及び／又はそれらの組み合わせのような少なくとも幾つかの共通の材料を備え、一体型の弾性の、伸縮自在な、又は伸縮自在でないパンツを形成することができる。図示された複合構造体３３は、外側カバー４０、外側カバーに重なる状態に取り付けられた身体側ライナ４２（図４及び図６）、外側カバーと身体側ライナとの間に配置される吸収組立体４４（図６）、及び一対の閉じ込めフラップ４６（図６）を備える。図示された複合構造体３３は、前ウエスト縁３８及び背ウエスト縁３９の一部をなす、相対する直線状の端縁４５と、吸収体シャーシ３２（図５及び図６）の側縁３６の一部をなす、相対する直線状の側縁４７とを有する。参考のために、図５及び図６には、トレーニングパンツ２０の縦軸方向を示す矢印４８と、横軸方向を示す矢印４９が示されている。
【００３８】
図４に部分的に示すような締結された状態のトレーニングパンツ２０において、前ウエスト領域２２と背ウエスト領域２４が互いに接合されて、ウエスト開口部５０及び一対の脚開口部５２を有する三次元のパンツ形状を構成する。前ウエスト領域２２は、トレーニングパンツ２０が着用された時に着用者の前に位置する部分を構成し、背ウエスト領域２４は、トレーニングパンツ２０が着用された時に着用者の後ろに位置する部分を構成する。トレーニングパンツ２０の股領域２６は、トレーニングパンツ２０が着用された時に着用者の両脚の間に位置し、着用者の胴体下部を覆う部分を構成する。前側部パネル３４及び背側部パネル１３４は、トレーニングパンツ２０が着用された時に着用者の腰部に位置する部分を構成する。
【００３９】
吸収体シャーシ３２の前ウエスト領域２２は、横方向に相対する前側部パネル３４と、該側部パネルの間に位置し且つ側部パネルを互いに結合する前中央パネル３５（図５及び図６）を含む。吸収体シャーシ３２の背ウエスト領域２４は、横方向に相対する背側部パネル１３４と、該側部パネルの間に位置し且つ側部パネルを互いに結合する後中央パネル１３５（図５及び図６）とを含む。吸収体シャーシ３２のウエスト縁３８及び３９は、着用された時に着用者のウエストを包囲するように構成され、ウエスト周寸法を定めるウエスト開口部５０を与える。股領域２６における横方向に相対する側縁３６の部分が、全体として脚開口部５２を定める。
【００４０】
吸収体シャーシ３２は、着用者から排出されるいかなる身体排出物をも収容及び／又は吸収するように構成される。例えば、吸収体シャーシ３２は、必須ではないが、身体排出物の横向きの流れに対する障壁を与えるように構成された一対の閉じ込めフラップ４６を備えることが望ましい。フラップ弾性部材５３（図６）は、この技術分野では周知の適切な手法のいずれかを用いて、閉じ込めフラップ４６のそれぞれに作動的に接合することができる。弾性を付与された閉じ込めフラップ４６は、トレーニングパンツ２０の少なくとも股領域２６において直立構成を呈して着用者の身体に対するシールを形成する、取付けられていない縁を定める。閉じ込めフラップ４６は、吸収体シャーシ３２の横方向に相対する側縁に沿って設置することができ、吸収体シャーシ３２の全長に沿って縦方向に延びていても良いし、吸収体シャーシの長さの一部にのみ沿って延びていても良い。閉じ込めフラップ４６に好適な構造及び配置は、当業者には一般に周知であり、Ｅｎｌｏｅに付与された１９８７年１１月３日付の米国特許第４，７０４，１１６号に記載され、これは引用によりここに組み込まれる。
【００４１】
トレーニングパンツ２０は、身体排出物の収容力及び／又は吸収力を更に増強するために、必須ではないが、当業者には公知のように前ウエスト弾性部材５４と、背ウエスト弾性部材５６と、脚弾性部材５８とを含むことが望ましい（図６）。ウエスト弾性部材５４及び５６は、相対するウエスト縁３８及び３９に沿って外側カバー４０及び／又は身体側ライナ４２に作動的に取り付けることができ、ウエスト縁の一部又は全体にわたって延びていても良い。脚弾性部材５８は、相対する側縁３６に沿って外側カバー４０及び／又は身体側ライナ４２に作動的に取り付けることができ、トレーニングパンツ２０の股領域２６に配置することができる。脚弾性部材５８は、複合構造体３３の側縁４７のそれぞれに縦方向に沿って位置合わせされることが望ましい。脚弾性部材５８の各々は前終点６３及び後終点６５を有し、これらの終点は、脚弾性部材により生じた弾性ギャザーの縦方向の端を表す。前終点６３は、前側部パネル３４の縦方向に最も内側の部分に隣接して配置することができ、後終点６５は、背側部パネル１３４の縦方向に最も内側の部分に隣接して配置することができる。
【００４２】
フラップ弾性部材５３、ウエスト弾性部材５４及び５６、並びに脚弾性部材５８は、好適な弾性材料のいずれからも形成することができる。当業者には周知のように、好適な弾性材料は、天然ゴム、合成ゴム、又は熱可塑性エラストマー・ポリマーのシート、ストランド又はリボンを含む。弾性部材は、伸ばして基材に接着するか、又はギャザー寄せされた基材に接着するか、或いは基材に接着してから例えば熱を加えることによって弾性を付与するか又は収縮させることができ、それにより基材に弾性収縮力が付与される。特定の実施形態の１つにおいて、脚弾性部材５８は、例えば米国デラウェア州ウィルミントン所在のＥ．Ｉ．デュポン・ド・ヌムール・アンド・カンパニーから入手可能な、ＬＹＣＲＡ（登録商標）の商標名で販売されている、多数のフィラメントを合体した複数の乾式紡糸スパンデックスのエラストマー糸を含む。
【００４３】
外側カバー４０は、実質的に液体不透過性の材料を含むことが望ましく、弾性、伸縮性、又は非伸縮性とすることができる。外側カバー４０は、液体不透過性材料の単一層とすることができるが、少なくとも層の１つが液体不透過性である多層のラミネート構造からなることが望ましい。例えば、外側カバー４０は、ラミネート接着剤、超音波結合、熱結合などにより適切に接合される、液体透過性の外側層と液体不透過性の内側層とを含むことができる。ビード、スプレー、並行スワールなどの形で連続的に又は断続的に付着させることができる好適なラミネート接着剤は、米国ウィスコンシン州ウォーワトサ所在のＦｉｎｄｌｅｙ  Ａｄｈｅｓｉｖｅｓ，Ｉｎｃ．又は米国ニュージャージー州ブリッジウォーター所在のナショナル・スターチ・アンド・ケミカル・カンパニーから入手できる。液体透過性の外側層は、適切な材料であればいずれであってもよいが、一般的に布のような感触を与えるものが望ましい。そうした材料の一例は、２０ｇｓｍ（グラム毎平方メートル）のスパンボンド・ポリプロピレンの不織ウェブである。外側層は、液体透過性の身体側ライナ４２を形成する材料から製造することもできる。外側層は、液体透過性である必要性はないが、着用者に比較的布に似た感触を与えることが望ましい。
【００４４】
外側カバー４０の内側層は、液体不透過性かつ蒸気不透過性であってもよいし、液体不透過性かつ蒸気透過性であってもよい。内側層は、薄いプラスチック・フィルムから製造可能であるが、他の柔軟な液体不透過性材料を用いてもよい。内側層、又は単層である場合の液体不透過性外側カバー４０は、敷布及び衣服といった物品や、着用者及び介護者が汚物で濡れるのを防ぐ。液体不透過性の内側層、又は単層の液体不透過性の外側カバー４０として用いるのに適した液体不透過性のフィルムは、米国ヴァージニア州ニューポート・ニューズ所在のハンツマン・パッケージングから市販されている０．０２ミリメートルのポリエチレン・フィルムである。外側カバー４０が単一材料層である場合には、より布に近い外観を与えるためにエンボス加工及び／又はマット仕上げすることができる。上記したように、液体不透過性の材料は、使い捨て吸収性物品の内部から蒸気が逃げられるようにする一方で、なおかつ液体が外側カバー４０を透過するのを防ぐことができる。好適な「通気性」材料は、微孔性の高分子フィルムで構成されるか、或いは所望の液体不透過性レベルを与えるようにコーティングされるか又はその他の手法で処理された不織布から構成される。好適な微孔性フィルムは、日本国東京所在の三井東圧化学株式会社から市販されているＰＭＰ−１フィルム材料か、又は米国ミネソタ州ミネアポリス所在の３Ｍカンパニーから市販されているＸＫＯ−８０４４ポリオレフィン・フィルムである。
【００４５】
図４及び図５に示すように、トレーニングパンツ２０、具体的にはその外側カバー４０は、外観に関係する１つ又はそれ以上の構成要素を備えることが望ましい。外観に関係する構成要素の例は、製品の形を使用者に明確にする即ち見やすくするために脚開口部及びウエスト開口部を目立たせる即ち強調する柄と、脚弾性バンド、弾性ウエストバンド、男児用の模擬「前立て」、女児用のひだ飾りといった機能上の構成材を模した製品領域を目立たせる即ち強調する柄と、製品のサイズの外観を変える製品領域を目立たせる柄と、製品に銘記された湿り度インジケータや温度インジケータなどと、製品に銘記された後ラベル又は前ラベルと、製品の所望の位置に銘記された注意書きとを含むが、これらに限定されない。
【００４６】
女児用に設計された、図示されたトレーニングパンツ２０は、外側カバーに銘記された図柄６０を含む。このデザインにおいては、銘記された図柄６０は、主要な絵柄６１と、模擬ウエストひだ飾り６２と、模擬脚ひだ飾り６４とを含む。主要な絵柄６１は、虹、太陽、雲、動物のキャラクター、ワゴン、及び風船を含む。女の子による使用を意図されたトレーニングパンツ２０には、彼女ら及び世話する者を、美的に及び／又は機能的に満足させるためのいかなる適切な設計を用いることもできる。外観に関係する構成要素は、トレーニングパンツ上の選択された位置に位置決めされることが望ましく、それは、ここに引用によって組み込まれるＢｒａｎｄｏｎ他に付与された１９９８年６月１６日付の米国特許第５，７６６，３８９号に開示される方法を用いて達成可能である。主要な絵柄６１は、トレーニングパンツ２０の縦中心線に沿って前ウエスト領域２２に位置決めされることが望ましい。
【００４７】
液体透過性の身体側ライナ４２は、外側カバー４０と吸収組立体４４の上に重なるように示されており、必ずしもそうである必要はないが外側カバー４０と同じ寸法をもつことができる。身体側ライナ４２は、適合性があり、柔軟な感触で、子供の肌に刺激を与えないことが望ましい。更に、身体側ライナ４２は、着用者に比較的乾燥した表面を提供し、かつ液体が身体側ライナの厚みを通して容易に浸透できるように、吸収組立体４４より親水性の低いものにしても良い。或いは、身体側ライナ４２は、より親水性の高いもの又は吸収組立体４４と本質的に同等の水分に対する親和性を有するものにして、着用者に比較的湿った表面を与え、濡れた感触を増大させることもできる。こうした濡れた感触はトレーニングの一助として有用となり得る。親水性／疎水性の特性は、身体側ライナ４２と吸収組立体４４の長さ、幅、深さにわたって変化させることができ、それにより所望の濡れた感触又は漏れ性能を達成することができる。
【００４８】
身体側ライナ４２は、合成繊維（例えばポリエステル繊維又はポリプロピレン繊維）、天然繊維（例えば木材繊維又は綿繊維）、天然繊維と合成繊維の組み合わせ、多孔性の発泡体、網状の発泡体、穿孔されたプラスチックフィルムなどといったウェブ材料の幅広い選択肢の中から製造することができる。身体側ライナ４２には種々の織布及び不織布を用いることができる。例えば、身体側ライナは、ポリオレフィン繊維をメルトブローしたウェブ又はスパンボンドしたウェブで構成することができる。身体側ライナはまた、天然繊維及び／又は合成繊維で構成されたボンデッド・カーデッド・ウェブであってもよい。身体側ライナは、実質的に疎水性の材料で構成することができ、疎水性材料は、所望のレベルの湿潤性と疎水性を付与するために、随意的に界面活性剤で処理するか又は他の手法で処理することができる。例えば、この材料は、米国ノースカロライナ州マウント・ホーリー所在のホジソン・テキスタイル・ケミカルズ社のＡｈｃｏｖｅｌ  Ｎ−６２と、ペンシルヴァニア州アンブラー所在のヘンケル・コーポレーション社のＧｌｕｃｏｐａｎ  ２２０ＵＰを有効比３：１で含む約０．４５重量パーセントの界面活性剤混合物で表面処理することができる。界面活性剤は、スプレー、プリント、ブラシ・コーティングなどといった従来の手法のいずれかを用いて塗布することができる。界面活性剤は、身体側ライナ４２の全体に塗布してもよいし、身体側ライナの縦中心線沿いの中間部のような特定の部分に選択的に塗布してもよい。
【００４９】
好適な液体透過性の身体側ライナ４２は、約２７ｇｓｍの坪量を有する二成分の不織ウェブである。不織二成分ウェブは、二成分のスパンボンド・ウェブか、又は二成分のボンデッド・カーデッド・ウェブであってもよい。好適な二成分ステープル繊維は、日本国大阪所在のチッソ株式会社から入手可能なポリエチレン／ポリプロピレン二成分繊維を含む。この特定の二成分繊維においては、ポリプロピレンが繊維の芯を形成し、ポリエチレンが繊維の鞘を形成する。マルチローブ、並列構成、エンドツーエンドなどといった他の繊維配向も可能である。外側カバー４０、身体側ライナ４２、及びパンツの構成に用いられる他の材料は、エラストマー材料又は非エラストマー材料を含むことができる。
【００５０】
外側カバー４０と身体側ライナ４２との間に吸収組立体４４（図６）が配置され、該組立体の構成材は、接着剤、超音波結合、熱結合などの適切な手法のいずれによっても互いに接合することができる。吸収組立体４４は、全体的に圧縮可能で、応従性があり、子供の肌を刺激せず、液体及びある程度の汚物を吸収及び保持することが可能などんな構造であってもよい。吸収組立体４４は、多種多様の寸法及び形状に製造することができ、またこの技術分野で一般に用いられる液体吸収性材料の幅広い選択肢から製造することができる。例えば、吸収組立体４４は、超吸収性材料として一般に知られる高吸収性材料の粒子と混合されたセルロース・フラフのウェブのような親水性繊維のマトリックスを含むことができる。特定の実施形態において、吸収組立体４４は、木材パルプ・フラフなどのセルロース・フラフのマトリックスと、ヒドロゲルを形成する超吸収性の粒子を含む。木材パルプ・フラフは、合成高分子のメルトブローされた繊維か、又は短く切断されたホモフィル２成分合成繊維及び天然繊維に置き換えることができる。超吸収体粒子は、親水性繊維と実質的に均一に混合するか、又は不均一に混合することができる。フラフと超吸収体粒子はまた、身体排出物をより良好に収容及び吸収するために、吸収組立体４４の所望の区域に選択的に設置することができる。また、超吸収体粒子の濃度は、吸収組立体４４の厚みを通して変化させることができる。或いは、吸収組立体４４は、繊維ウェブと超吸収性材料のラミネート、又は超吸収性材料を局所的な領域に維持する他の適切な手段を含むことができる。
【００５１】
好適な超吸収性材料は、天然高分子及び材料、合成高分子及び材料、並びに改質した天然高分子及び材料から選択することができる。超吸収性材料は、シリカゲルといった無機材料か、又は例えばナトリウムで中和されたポリアクリル酸の架橋ポリマーといった有機化合物であってもよい。好適な超吸収性材料は、米国ミシガン州ミッドランド所在のダウ・ケミカル・カンパニー、及びドイツ連邦共和国クレフェルトＤ−４７６０５所在のストックハウゼンＧｍｂＨ＆Ｃｏ．ＫＧといった様々な商業的な業者から入手可能である。典型的には、超吸収性材料は、自重の少なくとも約１５倍の水を吸収することができ、望ましくは自重の約２５倍より多くの水を吸収することができる。
【００５２】
１つの実施形態において、長方形又は所望のいずれの形状とすることもできる吸収組立体４４は、木材パルプ・フラフと超吸収性材料の配合物を含む。好ましいパルプの種類の１つは、米国アラバマ州チルダーズバーグ所在のＵ．Ｓ．アライアンス社から入手可能な、ＣＲ１６５４という商品名で特定される、主として軟材繊維と約１６パーセントの硬材繊維とを含む高吸収性の硫酸塩木材パルプが漂白されたものである。通例、超吸収性材料は、吸収組立体４４中に、吸収組立体の全重量を基準として０から約９０重量パーセントまでの量で存在する。吸収組立体４４は、１立方センチメートル当たり約０．１０グラムから約０．３５グラムまでの範囲の密度を有することが適切である。吸収組立体４４は、該吸収組立体の一体性及び／又は形状の維持を助ける適切なティシュー・ラップにより包まれる又は包み込まれていてもよいし、そうでなくてもよい。
【００５３】
吸収体シャーシ３２はまた、吸収組立体４４と互いに相対する面に沿って液体を受容し、一時的に保管し、及び／又は移送することを第一に設計された他の材料を組み込むことができ、それにより吸収組立体の吸収能力を最大化することができる。好適な材料の１つは、１平方メートル当たり約５０グラムから約１２０グラムまでの坪量を有する材料を含むサージ層（図示せず）と呼ばれるものであり、該材料は、６０パーセントがポリエステル芯／ポリエチレン鞘を含む３デニールのＴ−２５６型二成分繊維で、４０パーセントが６デニールのＴ−２９５型ポリエステル繊維である均一配合物の通気ボンデッド・カーデッド・ウェブを含み、どちらの繊維も米国ノースカロライナ州ソールズベリー所在のコーサ・コーポレーションから市販されている。
【００５４】
上記したように、図示されたトレーニングパンツ２０は、吸収体シャーシ３２の各側部に配置された前側部パネル３４及び背側部パネル１３４を有する。これらの横方向に相対する前側部パネル３４と横方向に相対する背側部パネル１３４は、前ウエスト領域２２及び背ウエスト領域２４においてそれぞれ取付け線６６に沿って吸収体シャーシ３２の複合構造体３３に恒久的に結合することができる。より詳細には、図５及び図６に最も良く示されるように、前側部パネル３４は、前ウエスト領域２２において複合構造体３３の直線状の側縁４７に恒久的に結合され、該側縁を越えて横方向に延びることができ、背側部パネル１３４は、背ウエスト領域２４において複合構造体の直線状の側縁に恒久的に結合され、該側縁を越えて横方向に延びることができる。側部パネル３４及び１３４は、接着剤、熱結合又は超音波結合といった当業者に公知の取付け手段を用いて取付けることができる。或いは、側部パネル３４及び１３４は、複合構造体３３の構成材の一体部分として成形することができる。例えば、側部パネルは、外側カバー、身体側ライナ、及び／又は吸収体シャーシの別の構成材よりも、全体として幅広の部分を備えることができる。前側部パネル３４及び背側部パネル１３４は、恒久的に互いに結合することもできるし、図示されるような締結システム８０によって互いに取外し可能に取付けることもできる。
【００５５】
図示された側部パネル３４及び１３４の各々は、取付け線６６から離間された遠位縁６８と、トレーニングパンツ２０の縦方向中心線に向けて配置された脚部端縁７０と、トレーニングパンツの縦方向端に向けて配置されたウエスト端縁７２とを定める。脚部端縁７０及びウエスト端縁７２は、複合構造体３３の側縁４７から遠位縁６８に向かって延びる。側部パネル３４及び１３４の脚部端縁７０は、吸収体シャーシ３２の側縁３６の部分を形成する。背ウエスト領域２４における脚部端縁７０は、パンツの前部と比べて、パンツの後部に向けてより大きな被覆を与えるために、必ずしも必要というわけではないが湾曲される及び／又は横軸４９に対して角度をつけられることが望ましい。ウエスト端縁７２は横軸４９に平行であることが望ましい。前側部パネル３４のウエスト端縁７２は、吸収体シャーシ３２の前ウエスト縁３８の一部を形成し、背側部パネル１３４のウエスト端縁７２は、吸収体シャーシの背ウエスト縁３９の一部を形成する。
【００５６】
適合性と外観を向上させる特定の実施形態においては、側部パネル３４及び１３４は、縦軸４８に平行に測定された吸収性物品の全長の約２０パーセント又はそれ以上、特に約２５パーセント又はそれ以上の、同様に縦軸４８に平行に測定された平均長さをもつことが望ましい。例えば、約５４センチメートルの全長をもつトレーニングパンツにおいて、側部パネル３４及び１３４は、約１５センチメートルといった、約１０センチメートル又はそれ以上の平均長さ寸法をもつことが望ましい。側部パネル３４及び１３４の各々はウエスト開口部５０から脚開口部５２の一方に向かって延びるが、図示された背側部パネル１３４は、図５及び図６に最も良く示されるように取付け線６６から遠位縁６８に向かって連続的に減少する長さ寸法をもつ。
【００５７】
側部パネル３４及び１３４の各々は、１つ又はそれ以上の個別の材料部品を含むことができる。特定の実施形態においては、例えば側部パネル３４及び１３４の各々は、シームで接合される第１側部パネル部分及び第２側部パネル部分を含むか、又は折り畳まれる単一の材料部品（図示せず）を含むことができる。
【００５８】
側部パネル３４及び１３４は、必須ではないが、トレーニングパンツ２０の横軸４９にほぼ平行な方向に伸ばすことのできる弾性材料を含むことが望ましい。好適な弾性材料と、トレーニングパンツに弾性側部パネルを組み込む方法の１つは、以下の米国特許、即ちＶａｎ  Ｇｏｍｐｅｌ他に付与された１９９０年７月１０日付の米国特許第４，９４０，４６４号、Ｐｏｈｊｏｌａに付与された１９９３年７月６日付の米国特許第５，２２４，４０５号、Ｐｏｈｊｏｌａに付与された１９９２年４月１４日付の米国特許第５，１０４，１１６号、Ｖｏｇｔ他に付与された１９９１年９月１０日付の米国特許第５，０４６，２７２号に記載されており、これらは全て引用によりここに組み込まれる。具体的な実施形態においては、弾性材料は、ストレッチ・サーマル・ラミネート（ＳＴＬ）材料、ネック結合されたラミネート（ＮＢＬ）材料、可逆的にネック加工されたラミネート材料、又は延伸結合されたラミネート（ＳＢＬ）材料を含む。こうした材料の製造方法は、当業者に周知であり、Ｗｉｓｎｅｓｋｉ他に付与された１９８７年５月５日付の米国特許第４，６６３，２２０号、Ｍｏｒｍａｎに付与された１９９３年７月１３日付の米国特許第５，２２６，９９２号、及びＴａｙｌｏｒ他の１９８７年４月８日付で公開された欧州特許出願第ＥＰ０２１７０３２号に記載されており、これらの全ては引用によりここに組み込まれる。或いは、側部パネル材料は、外側カバー４０又は身体側ライナ４２に適しているとして上記されたもののような他の織られた材料又は不織材料か、機械的に予め引っ張られた複合材か、又は引伸ばせるが非弾性である材料を含むことができる。
【００５９】
図示するトレーニングパンツ２０は、該トレーニングパンツを着用者のウエスト周りに再締結可能に固定するための締結システム８０を含む。図示する締結システム８０は、第１締結部材８２及び８３を含み、これらは嵌合相手である第２締結部材８４及び８５に再締結可能に結合されるようになっている。１つの実施形態においては、第１締結部材８２及び８３のそれぞれの表面の１つは、その表面から突出した複数の係合要素を備える。第１締結部材８２及び８３の係合要素は、第２締結部材８４及び８５の係合要素に反復的に係合され及び外されるようになっている。
【００６０】
１つの具体的な実施形態においては、第１締結部材８２及び８３の各々はフック型のファスナを備え、第２締結部材８４及び８５の各々は相補的なループ型のファスナを備える。別の具体的な実施形態においては、第１締結部材８２及び８３の各々はループ型のファスナを備え、第２締結部材８４及び８５の各々は相補的なフック型のファスナを備える。或いは締結部材は、互いにロックする類似の面ファスナ、又は、接着性ファスナと該接着性ファスナが付着する区域又は材料といった接着式又は粘着式の締結部材などを備えることができる。図示された実施形態は、背ウエスト領域２４が前ウエスト領域２２の上に被さっている状態を示し、これは便利ではあるが、トレーニングパンツ２０は前ウエスト領域が背ウエスト領域の上に被さるように構成することもできる。
【００６１】
ループ型のファスナは通常、ベース即ち下地構造体と、下地構造体の表面の少なくとも１つから上方に延びる複数のループ部材とを有する布又は材料からなる。ループ材料は、アクリル、ナイロン、ポリプロピレン又はポリエステルなどの適切な材料のいずれからも形成することができ、また縦編み、ステッチ結合、又はニードル・パンチングなどの方法で形成することができる。ループ型の材料はまた、エラストマー性の複合材及び非エラストマー性の複合材を含む、カードされたウェブ又は複合材、スパンボンドされたウェブ又は複合材、又は他の不織ウェブ又は不織複合材といった、フック型の材料に交絡する又は引っ掛かることができる繊維構造のいずれを備えることもできる。好適なループ材料は、米国ノースカロライナ州グリーンズボローのギルフォード・ミルズ・インクからＮｏ．３６５４９の商品名で入手可能である。別の好適なループ材料は、Ｓｔｏｋｅｓ他に付与された１９９９年１月１２日付の米国特許第５，８５８，５１５号に開示されるようなパターン非結合ウェブを含むことができる。
【００６２】
フック型のファスナは通常、ベース即ち下地構造と、下地構造の表面の少なくとも１つから上方に延びる複数のフック部材とを有する布地又は材料を備える。柔軟な布地を含むことが望ましいループ型のファスナとは対照的に、フック材料は弾性的な材料を有利に含み、フック材料が変形して衣服その他の物品に引っ掛かることによるファスナ部材の意図しない解離を最小にする。ここで使用される「弾性的な」という用語は、所定の形状と、嵌合相手の相補的な相互鎖錠材料に係合し、及び脱係合した後に所定の形状に復元するという相互鎖錠材料の特性とを有する相互鎖錠材料を指す。好適なフック材料は、成形又は押出しされたナイロン、ポリプロピレン、又は別の適切な材料とすることができる。締結部材８２−８５に適した片面フック材料は、オランダのアムステルダムのベルクロ・インダストリーズＢ．Ｖ．社又はその関係会社といった商業的な業者から入手可能な、一方向のフック・パターンをもち約０．９ミリメートル（３５ミル）の厚さを有するＶｅｌｃｒｏ  ＨＴＨ−８２９、及び、一方向のフック・パターンをもち約０．５ミリメートル（２０ミル）の厚さを有するＨＴＨ−８５１として特定される材料と、米国ミネソタ州セントポールのミネソタ・マイニング＆マニュファクチャリング社から入手可能なＣＳ−６００と識別される特定の材料を含む。
【００６３】
特に図６を参照すると、第１締結部材８２及び８３は、必須ではないがトレーニングパンツ２０の背ウエスト領域２４の内面２８に配置されることが望ましい。第１締結部材８２及び８３は、背側部パネル１３４の遠位縁６８に沿って、ウエスト端縁７２に当接して又は隣接して配置されることが望ましい。或る実施形態では、例えば第１締結部材８２及び８３は遠位縁６８、ウエスト端縁７２、及び脚部端縁７０から約２センチメートル以内に、より特定的には約１センチメートル以内に設置されることが望ましい。
【００６４】
特に図５を参照すると、第２締結部材８４及び８５は、必須ではないがトレーニングパンツ２０の前ウエスト領域２２の外面３０に配置されることが望ましい。第２締結部材８４及び８５は、第１締結部材８２及び８３を受け入れるような寸法にされ、前側部パネル３４の遠位縁６８に沿って、ウエスト端縁７２に当接して又は隣接して配置することができる。或る実施形態では、例えば第２締結部材８４及び８５は、遠位縁６８、ウエスト端縁７２、及び脚部端縁７０から約２センチメートル以内に、より特定的には約１センチメートル以内に設置されることが望ましい。第１締結部材８２及び８３が、内面２８に配置されたループ型のファスナを備え、第２締結部材８４及び８５が、外面３０に配置されたフック型のファスナを備える場合には、第１締結部材の寸法を第２締結部材の寸法より大きくして、剛性の外向きのフックが覆われることを保証することができる。
【００６５】
締結部材８２−８５は、接着剤結合、超音波結合、又は熱結合といった当業者に公知の手段のいずれかによって側部パネル３４及び１３４に付着させることができる。締結部材は、別個の締結部材を含むこともできるし、一体材料の別々の領域を含むこともできる。例えばトレーニングパンツ２０は、前ウエスト領域２２に配置された一体の第２締結材料を含むことができ、第２締結部材８４及び８５（図３）を定める２つ又はそれ以上の異なる領域において第１締結部材８２及び８３に再締結可能に結合される。特定の実施形態においては、締結部材は、ウエスト領域の一体部分から構成することができる。例えば、エラストマーの前側部パネル又は背側部パネルの一方は、相対するウエスト領域に配置された締結部材と取外し可能に係合される材料から構成できるので、第２締結部材として機能し得る。
【００６６】
締結部材は長方形とすることが望ましいが、正方形、円形、楕円形、曲線形又は他の非長方形の形状とすることもできる。特定の実施形態においては、締結部材８２−８５の各々は、トレーニングパンツ２０の縦軸４８にほぼ平行に位置合わせされた長さ寸法と、トレーニングパンツ２０の横軸４９にほぼ平行に位置合わせされた幅寸法とを定める。約９キログラムから約１５キログラム（２０−３０ポンド）の子供向けには、例えば締結部材の長さ寸法は、約５センチメートルから約１３センチメートルであることが望ましく、例えば約１０センチメートルとされ、幅寸法は約０．５センチメートルから約３センチメートルまでであることが望ましく、例えば約１センチメートルとされる。特定の実施形態に関して、締結部材の長さ対幅の比は、約２又はそれ以上、例えば約２から約２５までとすることができ、特に約５又はそれ以上、例えば約５から約８までとすることができる。成人向けの製品のような他の実施形態に関しては、１つ又はそれ以上の締結部材が、比較的小さい複数の締結部材を備えることが望ましい。その場合、締結部材又は個々の締結部材は、さらに小さい長さ対幅の比をもち、例えば約２又はそれ以下、さらには約１又はそれ以下とされる。
【００６７】
締結部材８２−８５が取外し可能に係合されると、吸収体シャーシ３２の股領域２６の側縁３６が脚開口部５２を形成し、側部パネルのウエスト端縁７２を含む吸収体シャーシのウエスト縁３８及び３９がウエスト開口部５０を形成する。脚開口部５２の構成を改善するために、或る実施形態においては前側部パネル３４が背側部パネル１３４から縦方向に離間されることが望ましい（図５及び図６参照）。例えば、前側部パネル３４は、吸収性物品の全長の約２０パーセント又はそれ以上、特定的には約２０パーセントから約６０パーセントまで、より特定的には約３５パーセントから約５０パーセントまでの距離だけ背側部パネル１３４から離間することができる。
【００６８】
結合されると、締結部材８２−８５は再締結可能なシーム８８（図４）を形成し、該シームは、必須ではないがウエスト開口部５０と脚開口部５２の間の距離の実質的に全体にわたって延びることが望ましい。より具体的には、再締結可能なシーム８８は、ウエスト開口部５０と各脚開口部５２の間の距離の約８０パーセントから１００パーセント、特に約９０パーセントから約９８パーセントを覆うことができ、この距離は縦軸４８に平行に計測される。ウエスト開口部５０と脚開口部５２の間の距離の実質的に全体にわたって延びるようにシーム８８を構成するために、締結部材８２−８５は、側部パネル３４及び１３４のウエスト端縁７０と脚部端縁７２の間の距離の約８０パーセントから１００パーセント、より詳細には約９０パーセントから約９８パーセントを覆うように形成することができる。他の実施形態においては、締結部材は小さめの複数の締結部材を備えることができ、ウエスト開口部５０と脚開口部５２との間の距離より小さい部分、例えば約２０パーセントから約７０パーセントを覆うが、ウエスト開口部と脚開口部の間の距離のより大きな割合にわたるように離間される。
再締結可能なシーム８８を着用者の側部に配置するには、第１締結部材８２及び８３の間の横方向の距離が、第２締結部材８４及び８５の間の横方向の距離と実質的に等しくなることが特に望ましい。ファスナの組の間の横方向の距離は、該ファスナの縦中心線の間の横軸４９に平行に計測される。
【００６９】
次々に流れる部分的に組立てられた個々の衣類１０２を形成するための組立部１００の例示的な実施形態を図１に示す。組立部１００に用いられる特定の装置及び工程は、製造される衣類の特定の形式によって大幅に変えることができる。図１に関連して説明される特定の工程及び装置は、図４に示される形式のトレーニングパンツ２０の製造に特に適合される。
【００７０】
トレーニングパンツの種々の構成材は、例えば接着剤結合、熱結合及び／又は超音波結合といった当業者に公知の手段のいずれによっても結合できる。製造効率を向上し、原材料コストを減らすために、構成材の多くは超音波結合を用いて結合されることが望ましい。当該技術分野において良く知られ理解されるフレーム構造体、取付け構造体、超音波結合装置、接着剤結合装置、搬送コンベヤ、移送ロール、ガイド・ロール、テンション・ロールなどを含む或る種の衣類製造装置は図１及び図２に図示されていない。本工程とともに使用するのに適した吸収体の供給機構、ウェブ繰り出し機、コンベヤ・システム、位置合わせシステム、駆動システム、制御システムなどは、Ｂｒａｎｄｏｎ他に付与された１９９８年６月１６日付の米国特許第５，７６６，３８９号に開示されており、これは引用によりここに組み込まれる。また、図１、図２及び図７には、外側カバーの絵柄６１が図示されていない。
【００７１】
身体側ライナ４２を形成するのに用いられる材料１０４の連続供給は、供給源１０６から与えられる。身体側ライナ材料１０４を所望の速度及び張力で与えるために、供給源１０６は、例えば通常は一対のスピンドル、懸垂式組立体、及びダンサー・ロールを含む標準的な巻出機構のいずれを含んでいてもよい。
身体側ライナ材料１０４が矢印１０８で示される機械方向に進むにつれて、該材料に種々の構成材が配置される及び／又は結合される。特に、取付けステーション１１０において、サージ層が与えられて、身体側ライナ材料１０４に配置される及び／又は結合される。サージ層は、連続的なウェブか又は個々のシートのいずれかから構成される。さらに、予め組み立てられた閉じ込めフラップを身体側ライナ材料１０４に取り付けるために、供給源１０６の下流に閉じ込めフラップ・モジュール１１２を設けることができる。種々の構成材が組立部１００に付加されていくにつれて、連続移動される製品集合体１１３が形成される。製品集合体１１３が下流で切断されて、部分的に組立てられた個々のトレーニングパンツ１０２が形成されることになる。
【００７２】
適切な供給源１１５から複数の吸収組立体１１４を与えることができる。供給源１１５は、吸収組立体１１４を供給することができる通常の機構のいずれであっても良い。一般に、通常の供給源は、フラフ繊維を形成し、必要であればフラフ繊維と超吸収性材料を混合するための囲いを与え、次いでフラフと超吸収性材料を所望の吸収体設計を有する成形ドラム上に堆積するためのハンマーミルを含み得る。個々の吸収組立体１１４が、トレーニングパンツ１つに１つずつというように、連続移動する身体側ライナ材料１０４上に断続的に配置される。吸収組立体１１４の位置は、サージ材料が使用されるならば、サージ材料の位置に重ねることができる。吸収組立体１１４は、接着剤又は他の適切な手法を用いて１つ又はそれ以上の構成材に取り付けることができる。或いは、吸収複合材を、ロールか又は懸垂式のベールなどの圧縮されたパッケージから加工工程に送ることができる。
【００７３】
側部パネル３４及び１３４を形成するのに用いられる連続的な材料ウェブ１１６が、適切な供給源１１７から与えられる。供給源１１７は、１つ又はそれ以上の標準的な巻出機構を含むことができる。側部パネル材料１１６は、個々のストリップ１１８に裁断され、取り付け装置１２０を用いて身体側ライナ材料１０４の上に部分的に配置することができる。機械横方向においては、個々のストリップ１１８は、身体側ライナ材料１０４から横方向外側に延び（図１及び図７参照）、該ストリップが身体側ライナ材料及び／又は閉じ込めフラップ材料に取り付けられるように、約２センチメートル又はそれ以上といった量だけ身体側ライナ材料に重なることが望ましい。機械方向１０８においては、ストリップ１１８の位置は吸収組立体１１４に対して位置決めされ、これにより側部パネル材料１１６のストリップ１１８の各々を備える製品集合体１１３を吸収組立体の間で切断して、連続した衣類１０２の前側部パネル３４及び背側部パネル１３４の両方を形成することができる。
【００７４】
好適な取り付け装置１２０の１つは、いずれもＰｏｈｊｏｌａに付与された１９９２年４月１４日付の米国特許第５，１０４，１１６号及び１９９３年７月６日付の米国特許第５，２２４，４０５号に開示されており、これらは引用によりここに組み込まれる。取り付け装置１２０は、裁断組立体１２２と回転移送ロール１２４とを含むことができる。裁断組立体１２２は、回転ナイフ・ロール１２６と回転真空アンビル・ロール１２８を使用して、連続した側部パネル材料１１６から個々のストリップ１１８を裁断する。ナイフ・ロール１２６の刃により裁断されたストリップ１１８は、真空によりアンビル・ロール１２８上に維持され、移送ロール１２４に移送される。
【００７５】
回転移送ロール１２４は、複数の回転真空パック１３０を含むことができる。真空パック１３０は、裁断組立体１２２から材料１１６のストリップ１１８を受け取り、回転して、連続移動する身体側ライナ材料１０４に該ストリップを移送する。ストリップ１１８が身体側ライナ材料１０４に対して所望のように位置決めされると、パック１３０内の真空を解消することによって、パックからストリップが取り外される。パック１３０は、裁断組立体１２２に向かって回転し続けて、他のストリップを受け取ることができる。
【００７６】
或いは、Ｖａｎ  Ｇｏｍｐｅｌ他により開示されるように、側部パネルを形成するのに用いられる材料１１６を連続した形で与え、加圧された流体ジェット又は回転ダイ・カッターを用いて該材料を切断し、脚開口部５２を形成することができる。さらに別の方法として、トレーニングパンツ２０の側部パネル３４及び１３４は、身体側ライナ４２及び／又は外側カバー４０の一部として形成することができる。
【００７７】
外側カバー４０を形成するのに用いられる材料１４０の連続供給は、供給ロール１４２又は他の適切な源から与えられる。外側カバー材料１４０は、ラミネ−タ・ロール１４４の上に移送され、身体側ライナ材料１０４と一緒にされる。これにより吸収組立体１１４が、連続した材料１０４と１４０の間に挟み込まれる。側部パネル材料１１６のストリップ１１８の内側部分も、身体側ライナ材料１０４と外側カバー材料１４０との間に配置される。側部パネル材料１１６を取付けるための別の構成が、Ｖａｎ  Ｇｏｍｐｅｌ他により開示されている。身体側ライナ材料１０４と外側カバー材料１４０を一体化する前に、取付けステーション１４６において脚弾性体５８又はウエスト弾性体５４及び５６といった種々の構成材を外側カバー材料１４０に取り付けることができる。或いは、脚弾性体又はウエスト弾性体は、最初から身体側ライナ材料１０４又は別の材料に取り付けることができる。
【００７８】
ラミネータ・ロール１４４の下流に超音波結合器のような結合装置１４８を使用して、身体側ライナ材料１０４と側部パネル材料１１６と外側カバー材料１４０とを結合することができる。例えば、これらの材料を回転式超音波ホーンとアンビル・ロールとの間に移送することができる。好適な回転式超音波ホーンは、Ｅｈｌｅｒｔに付与された米国特許第５，１１０，４０３号に記載されており、これは引用によりここに組み込まれる。そうした回転式超音波ホーンは通常、約５センチメートルから約２０センチメートルまでの直径と、約２センチメートルから約１５センチメートルまでの幅を有する。或いは、超音波ホーンは、同じく当業者に公知の固定式超音波ホーンとすることもできる。他の好適な超音波ホーン及び超音波結合器は、米国コネティカット州ダンベリーのブランソン・ソニック・パワー・カンパニーから市販されている。結合装置１４８は、また別の形として、周知の熱結合器又は接着剤結合器であってもよい。
【００７９】
連続移動する製品集合体１１３は、次にファスナ取付けステーション１５０に進み、そこで締結部材８２−８５が側部パネル材料１１６のストリップ１１８に結合される。複合材上の締結部材の位置は、組立部１００の構成の一部の関数である。図示された組立部１００は、製品集合体１１３の上向き面がトレーニングパンツ２０の外面３０となり、下向き面が内面２８となるように構成される。更に、図示された組立部１００は、先行する衣類の前ウエスト領域２２が後続する衣類の背ウエスト領域２４に結合された、部分的に組立てられたトレーニングパンツ１０２を形成するように構成される。或いはこの工程は、異なる配向のいかなる組み合わせをも用いることができる。例えば、製品集合体の上向き面は、完成された衣類の内面２８を成していてもよい。或いは又はそれに加えて、先行する衣類の背ウエスト領域２４を後続する衣類の前ウエスト領域２２に結合してもよいし、衣類を前と前／後ろと後ろの関係に配列してもよい。更に別の方法として、組立部１００は、組立工程の一部又は組立工程の全部に亘って、各衣類の縦軸４８が機械方向１０８に直交する機械横方向の工程として構成することもできる。
【００８０】
この実施形態における締結部材８２−８５の位置は、図７に最も良く示されており、ファスナ取付けステーション１５０のすぐ後に矢印１０８の方向に移動する製品集合体１１３の一部が示される。側部パネル材料１１６の個々のストリップ１１８の各々は、前縁１５２、後縁１５４、遠位縁１５６、及び内縁１５８を定める。破線１５９は、個別のトレーニングパンツ２０を形成するために後で製品集合体１１３が切断される位置を示す。連続移動する製品集合体１１３の図示された配向に基づいて、ストリップ１１８の下側に第１締結部材８２及び８３が取り付けられ、ストリップの上部に第２締結部材８４及び８５が結合される。更に、第１締結部材８２及び８３は後縁１５４の比較的近傍に配置され、第２締結部材８４及び８５は前縁１５２の比較的近傍に配置される。第１締結部材８２及び８３は、第２締結部材８４及び８５から機械方向に離間されるので、切断線１５９がその間を通り得る。
【００８１】
再び図１を参照すると、第２締結部材８４及び８５を形成するのに用いられる第２ファスナ材料１６０の連続ウェブは、供給ロール１６２又は他の適切な源から与えることができる。第２ファスナ材料１６０は、裁断組立体１６４又は他の適切な装置により、個々の第２ファスナ８４及び８５に裁断することができる。図示される裁断組立体１６４は、回転ナイフ・ロール１６６と、回転真空アンビル・ロール１６７と、回転バッキング・ロール１６８とを含む。連続した第２ファスナ材料１６０は、ナイフ・ロール１６６の刃により切断し、真空によりアンビル・ロール１６７上に維持し、側部パネル材料１１６のストリップ１１８の上面に配置することができる。
【００８２】
同様に、第１締結部材８２及び８３を形成するのに用いられる第１ファスナ材料１７０の連続ウェブは、供給ロール１７２又は他の適切な源から与えることができる。第１ファスナ材料１７０は、裁断組立体１７４又は他の適切な装置により、個々の第１ファスナ８２及び８３に裁断することができる。図示される裁断組立体１７４は、回転ナイフ・ロール１７６と、回転真空アンビル・ロール１７７と、回転バッキング・ロール１７８を含む。連続した第１ファスナ材料１７０は、ナイフ・ロール１７６の刃により切断し、真空によりアンビル・ロール１７７に維持し、側部パネル材料１１６のストリップ１１８の下側に配置することができる。
【００８３】
締結部材８２−８５を取り付けるために、他の構成を使用することもできる。例えば、側部パネル材料１１６を身体側ライナ材料１０４及び／又は外側カバー材料１４０に一体化させる前に、締結部材を側部パネル材料に付与すること、別個の側部パネルが用いられるかどうかに関係なく、身体側ライナ材料１０４及び／又は外側カバー材料１４０に締結部材を取り付けること、身体側ライナ及び／又は外側カバーのような他の構成材の一部を、１つ又はそれ以上の締結部材として形成すること、別個の側部パネル又は一体化された側部パネル自体を、１つ又はそれ以上の締結部材として形成すること、予め係合された複合材８２、８４、及び８３、８５として締結部材を取付けることなどである。
【００８４】
締結部材が側部パネル材料１１６のストリップ１１８に配置された後に、超音波結合器などの結合装置１８０を使って締結部材をストリップに結合することができる。例えば、ストリップ１１８は回転式超音波ホーンとアンビル・ロールとの間に移送され、これらの装置は工程の各側の締結部材８２、８４及び８３、８５の機械横方向の位置、即ち横方向の位置に配置される。機械式結合材料に適合する個々の円形結合からなる特定の超音波結合パターンは、Ｄｉｌｎｉｋ他に付与された１９９７年８月２６日付の米国特許第５，６６０，６６６号に開示されており、これは引用によりここに組み込まれる。さらに、非接着剤結合装置により締結部材を取付けるための効果的な構成が、Ｊ．Ｄ．Ｃｏｅｎｅｎ他により２００１年５月１５日に出願された発明の名称「締結部材を備える衣類の製造方法」の番号不明の米国特許出願に記載されており、これは引用によりここに組み込まれる。確実な取付けのためには、締結部材は接着剤結合と熱結合の両方を用いて取付けることが望ましい。好適な取付け接着剤は、米国ウィスコンシン州ウォーワトサのＦｉｎｄｌｅｙ  Ａｄｈｅｓｉｖｅ，  Ｉｎｃ．といった商業的な業者から入手可能である。
【００８５】
特定の実施形態においては、結合装置１８０は、締結部材の持続した不均一な結合を側部パネル材料１１６に与えることができる。単位面積当たりの結合数又は単位面積当たりの結合強度といった結合度合を、ある目標域において非目標域より大きくすることができる。目標域の結合の増強は、特にウエスト開口部５０及び脚開口部５２の近辺において、側部パネル材料１１６からの締結部材の剥離を減少させるのに有益である。したがって、結合装置１８０は、側部パネル材料１１６が機械方向１０８の特定の位置に達した時に、締結部材８２−８５と側部パネル材料１１６との間に相対的により多い結合又はより強い結合を生じるようにすることができる。特定の実施形態の１つにおいて、目標域は、ウエスト縁３８及び３９の付近の締結部材８２−８５の部分に対応する。比較的高い度合いの結合を与えるために、締結部材の１つ（図７の８４など）の上に配置され、後で製品集合体１１３が裁断される領域（図７の切断線１５９参照）が通る間維持され、別の締結部材（８２など）に配置された後で終わるように、結合装置１８０を位置決めすることができる。或いは結合装置１８０は、目標域における締結部材８２−８５の係合要素を破壊して、目標域において締結部材がそれほど積極的でなく互いに取付けられるようにすることもできる。
【００８６】
側部パネル材料１１６のストリップ１１８を必要に応じてトリミングし、例えば背ウエスト領域２４において角度のついた及び／又は湾曲した脚部端縁７０を形成することができる（図５及び図６）。この目的のために、組立部１００は、打抜きロール１８２及びバッキング・ロール１８４を含むことができる。図示された実施形態においては、背ウエスト領域２４において角度のついた及び／又は湾曲した脚部端縁７０を形成するために、後縁１５４から各ストリップ１１８の一部が切り取られる（図７）。
【００８７】
ここまでの方法及び装置は、矢印１０８で示される方向に移動する、互いに結合され、部分的に組立てられたトレーニングパンツの連続ウェブを与える。この連続移動する製品集合体１１３は、カッター１８６を通過し、該カッターがウェブを選択的に切断して個々の部分的に組立てられたトレーニングパンツ１０２にする。こうしたカッター１８６は、当業者には一般に良く知られており、例えば裁断ロール１８７とアンビル・ロール１８８との組み合わせ（図２）を含むことができ、それらの間を通してウェブが移動する。アンビル・ロール１８８は硬化鋼の回転ロールを含むことができ、裁断ロール１８７は別の回転ロールにクランプ留めされた１つ又はそれ以上の可撓性の硬化鋼の刃を含むことができる。裁断ロール１８７の刃とアンビル・ロール１８８との間の喰切り力によって切断が生じる。裁断ロール１８７は、裁断位置間の所望の距離に応じて１つ又はそれ以上の刃をもつことができる。カッター１８６は更に、裁断された後の個々の裁断片の間にスペースを与えるように構成される。そうしたスペースは、ウェブがカッターに送られる速度より高い速度でカッターから切断片を移送することにより与えられる。
【００８８】
次いで、分離されたトレーニングパンツ１０２を、折畳みステーション２００において適切な折畳み機構２０２のいずれかを用いて折畳むことができる（図２）。トレーニングパンツ１０２は、トレーニングパンツをほぼ二等分する折畳み線のところで折畳まれる。それにより各トレーニングパンツ１０２のウエスト領域２２及び２４が、トレーニングパンツの縦軸４８に対して横方向外側に延びる側部パネル３４及び１３４に面するように位置決めされる。折畳み線は、トレーニングパンツの股領域２６を通る横方向に延びる。分離されたトレーニングパンツ１０２の各々は、トレーニングパンツの前部ウエスト縁３８と背部ウエスト縁３９が互いに合わさるように、折畳み線のところで一貫して折畳まれることが望ましい。
【００８９】
ブレード式折畳み器、直線式折畳み器、ブック式折畳み器、タッカー・ブレードなどといった様々な折畳み機構２０２が使用できる。所与の用途のために選択される特定の形式は、製造される衣類の形式と、衣類をパンツ形に固定するのに用いられる締結機構の形式に依存することになる。再締結可能な締結部材８２−８５を組み込んだ衣類への使用に適合されたブレード式折畳み機構２０２の実施形態の１つが、図２、図８及び図９に示されている。図示された折畳み機構２０２は、折畳みの間に側部パネル３４及び１３４を制御して、折畳み作業中に再締結可能な締結部材８２−８５が互いに係合する又は別の材料に係合することがないようにする。折畳みの間に側部パネルと締結部材を分離された状態に維持するための他の構成は、Ｊ．Ｄ．Ｃｏｅｎｅｎ他により２００１年５月１５日に出願された発明の名称「パンツの折畳み及び製造」の番号不明の米国特許出願に開示されており、これは引用によりここに組み込まれる。
【００９０】
図示されたブレード式折畳み機構２０２は、折畳み線に沿ってトレーニングパンツ１０２に接触するように構成された複数の回転折畳みブレード又はタッカー・ブレードを含む。折畳みブレードの回転により、トレーニングパンツ１０２が２つの回転折畳みコンベヤ２０６と２０８の間のニップ２０４に押込まれ、それによりトレーニングパンツが折畳み線のところで折畳まれる。折畳みコンベヤ２０６及び２０８は、折畳まれたトレーニングパンツ１０２を機械方向１０８に移動させるための搬送システムの一部を成す。折畳まれたトレーニングパンツ１０２は、その股領域２６がウエスト領域２２及び２４に先行する状態で機械方向１０８に移送されるように説明される。或いは、この工程及び装置は、ウエスト領域が股領域に先行するように修正することもできる（図示せず）。
【００９１】
図２、図８及び図９を参照すると、一連の折り畳まれていない分離されたトレーニングパンツ１０２は、カッター１８６の真空アンビル・ロール１８８から上側折畳みコンベヤ２０６に運ばれることになる。トレーニングパンツ１０２が、真空によって上側折畳みコンベヤ２０６に保持され、折畳みコンベヤ２０６及び２０８の間に形成されたニップ２０４に向けて運ばれる。ニップ２０４に向けて運ばれている間に、必要に応じて、流体安定装置を含む種々の手段によって側部パネル３４及び１３４をのばす又は真っ直ぐにすることができる。例えばエアナイフ２１５（図８）、エアバー、エアノズルなどを上側折畳みコンベヤの近傍に取付けて、側部パネルに向けて導かれる流体の流れを与え、側部パネルを安定化する及び／又は真っ直ぐにすることができる。エアナイフ２１５は、上側折畳みコンベヤ・ベルト２１２から横方向外側に位置決めされたスキッド・プレート２１６に向けて側部パネル３４及び１３４を吹き付けることができる。或いは又はそれに加えて、上側折畳みコンベヤ２０６は、高圧流体源に作動的に接続された流体マニホルドからなる流体安定装置を組み入れて、側部パネルを流体により振動させることができる。流体安定装置は、トレーニングパンツ１０２が上側折畳みコンベヤ２０６に沿って移動する際に、側部パネル３４及び１３４が折畳まれるのを防ぐことが望ましい。側部パネルが折畳まれた製品、又は縦中心線に対してずれている製品を検出するために、この位置で感知装置を使用することもできる。
【００９２】
上側折畳みコンベヤ２０６の速度調整された真空ノーズ・ロール２１８と下側折畳みコンベヤ２０８の速度調整された真空ノーズ・ロール２１９との間に、製品折畳みニップ２０４が形成される（図２及び図８）。パンツ１０２の前縁が上側ノーズ・ロール２１８に導入される際に、該ノーズ・ロールの内部に圧縮空気を導入して、ノーズ・ロールの真空吸引を無効にすることができる。これにより、パンツの前縁は、ニップ２０４に吸い込まれることなくノーズ・ロール２１８を通過することができる。勿論別の方法として、真空源をノーズ・ロール２１８から一時的に切断することもできる。ノーズ・ロール２１８及び２１９の真空作動を反復的に起動及び停止するのに適した制御システムのいずれを用いることもできる。特定の実施形態においては、真空をノーズ・ロール２１８及び２１９に循環させるために回転弁が使用される。
【００９３】
製品制御ドラム２２０が、トレーニングパンツ１０２の前側半分を、湾曲した移送プレート２２２に案内する（図２及び図８）。製品制御ドラム２２０は、矢印２２５の方向に回転する複数の真空パック２２４を含むことができる。図示された製品制御ドラム２２０は、１回転毎に４つのトレーニングパンツ１０２を案内する４つの真空パック２２４を含む。製品制御ドラム２２０の回転は、真空パック２２４がトレーニングパンツ１０２の前側半分をつかんで、その前縁を湾曲した移送プレート２２２に移送するように速度調整される。前側半分の吸収体シャーシ３２及び／又は側部パネル１３４が、真空パック２２４に載って運ばれて、下側折畳みコンベヤ２０８のノーズ・ロール２１９を通過する。この位置で、この下側ノーズ・ロール２１９の内部に圧縮空気が導入されて、真空吸い込みが無効になり、前縁全体と側部パネル１３４が湾曲した移送プレート２２２に移動されることになる。勿論別の方法として、真空源をノーズ・ロール２１９から一時的に切断することもできる。
【００９４】
図９を参照すると、折畳み機構２０２は、トレーニングパンツ１０２の垂直経路を通過するように軌道を描いて移動する、相対する一対のタッカー・ブレード２４０を含むことができる。タッカー・ブレード２４０は、パンツ１０２の股領域２６に接触して、該股領域を折畳みニップ２０４に挿入することができる。挿入されると、パンツ１０２の前側半分が、湾曲した移送プレート２２２上で方向転換し、ニップ２０４に引き込まれる。真空パック２２４はこの位置で真空吸い込みを停止し、前側半分を解放する。これによりパンツ１０２の後側半分が、上側ノーズ・ロール２１８の周りに引っ張られる。したがって、トレーニングパンツ１０２の両半分の移動が、ほぼ垂直平面内の移動から、折畳みコンベヤ２０６及び２０８の間のほぼ水平面内の移動に変化されることになる。
【００９５】
図示された折畳み機構２０２は、前側部パネル３４と背側部パネル１３４との間の分離を維持することができる。パンツ１０２が折畳みニップ２０４に入る際に、上側ノーズ・ロール２１８への圧縮空気が遮断され、それにより後側半分の側部パネル３４が真空によって上側ノーズ・ロールに引き寄せられる。このようにして後側の側部パネル３４が上側ノーズ・ロール２１８に引き寄せられ、該ロールの回転に従って側部パネル分離プレート２３０の上に送られる（図８及び図１０）。同様に、パンツ１０２の前側半分が折畳みニップ２０４に引き込まれる際に、下側ノーズ・ロール２１９への圧縮空気が遮断され、それにより前側半分の側部パネル１３４が真空によって該下側ノーズ・ロールに引き寄せられる。このようにして前側の側部パネル１３４が下側ノーズ・ロール２１９に引き寄せられ、該ロールの回転に従って側部パネル分離プレート２３０の下に送られる。
【００９６】
図１０は、ノーズ・ロール２１８及び２１９の下流位置において、上側折畳みコンベヤ２０６と下側折畳みコンベヤ２０８との間に位置する、部分的に組立てられたトレーニングパンツ１０２の一部を示す。この位置におけるトレーニングパンツ１０２は、半分に折畳まれ、コンベヤ２０６及び２０８によって機械方向１０８に運ばれている。したがって、図示された折畳み機構２０２は、折畳みの間に、前側部パネル３４を背側部パネル１３４から離間された状態に維持することができる。
【００９７】
図１０にさらに詳細に示される折畳みコンベヤ２０６及び２０８の各々は、フレーム構造体２１０と、該フレーム構造体に関連した複数の回転式滑車２１１と、滑車によって運ばれる連続ベルト２１２を含むことができる。駆動システムとコンベヤ・シャフト（図示せず）を使用して、１つ又はそれ以上の滑車を回転駆動することができる。折畳みコンベヤ２０６及び２０８は、この技術分野では周知の真空コンベヤを含むことがあり、含む場合には、連続ベルトは流体透過性材料から形成される。折畳みコンベヤは、トレーニングパンツ１０２の縦中心線がコンベヤの縦中心線上を移動する状態でトレーニングパンツを移送することが望ましい。図示のように、前側部パネル３４及び背側部パネル１３４は、フレーム構造体２１０から横方向外側に突出し、機械横方向に伸び出ることができる。
【００９８】
折畳みコンベヤ２０６及び２０８上を移動する間に、必要に応じて、流体安定装置（図１０には図示せず）を含む種々の手段によって側部パネル３４及び１３４をのばす又は真っ直ぐにすることができる。好適な流体安定装置は、エアナイフ、エアバー、エアノズル、真空装置などを含み、側部パネルに向けて導かれる流体の流れを与えることができる。流体安定装置は、折畳みコンベヤ２０６及び２０８の一方又は両方に組み込んでもよいし、またコンベヤの近傍に位置決めされた別個の装置から構成しても良い。
【００９９】
図示された折畳み機構２０２によって、部分的に組立てられたトレーニングパンツ１０２の前ウエスト領域２２及び前側部パネル３４が、背ウエスト領域２４及び背側部パネル１３４の上に配置される。第１締結部材８２及び８３が背側部パネル１３４の内面２８上に配置され、第２締結部材８４及び８５が前側部パネル３４の外面３０上に配置される。図示された実施形態においては、第１締結部材８２及び８３の間の横方向の直線距離は、第２締結部材８４及び８５の間の横方向の直線距離と同じである。
【０１００】
分離プレート２３０は、機械方向１０８に延び、前側部パネル３４と背側部パネル１３４との分離を維持することができる。分離プレート２３０は、ステンレス鋼、テフロン（登録商標）、アルミニウム、超高分子量ポリエチレン（ＵＨＭＷ−ＰＥ）、例えば米国デラウェア州ウィルミントンのＥ．Ｉ．デュポン・ド・ヌムール・アンド・カンパニーからＤＥＬＲＩＮの商標名で入手可能なホモポリマーといったポリオキシメチレン（アセタール）などの低摩擦材料又は低摩擦コーティングを含むことができる。特定の実施形態においては、分離プレート２３０は、テフロン（登録商標）、ＵＨＭＷ−ＰＥ、ＤＥＬＲＩＮなどの薄層を、鋼又はアルミニウムなどで形成されたプレートに接着したものから構成することができる。分離プレート２３０は、適切な支持部材２３２（図１０）を用いて、折畳みコンベヤ２０６又は２０８、或いは他の適切なフレーム構造体（図示せず）に取付けることができる。
【０１０１】
折畳みステーション２００から、一部組立てられ折畳まれた個々のトレーニングパンツ１０２の連続的な流れがシーム形成部２５０に入り、その実施形態は図３に示されている。シーム形成部２５０は、取付けられていない側部パネル３４及び１３４を制御する工程及び装置を含むことができ、該工程及び装置は、ウエスト領域２２又は２４の少なくとも一方を変位させて、ウエスト領域の締結部材の間の横方向の距離を変化させ、ウエスト領域を重なり位置に誘導してラップ・シームを形成し、ウエスト領域を互いに結合する。
【０１０２】
図４に示す実施形態においては、側部パネルは、機械式の嵌合締結部材８２−８５を用いて、互いに再締結可能に結合されるが、他の再締結可能な結合構成も使用可能である。このように、シーム形成部２５０は、部分的に組立てられ折畳まれたトレーニングパンツ１０２を、各々がウエスト開口部５０及び一対の脚開口部５２を有する予め締結されたトレーニングパンツ２０（図４）に変える。図示されたシーム形成部２５０は、勿論、下側の側部パネルがラップ・シーム（図示せず）の内側の側部パネルを形成するように反転することもできる。シーム形成部２５０から側部パネルのタック加工や包装などの作業のための種々の仕上げ部２５４を通してトレーニングパンツ２０を処理することができる。
【０１０３】
「上側」及び「下側」という用語は、理解を容易にするために与えられるものであり、説明される要素の空間的な配置は、反対にしたり、別の様式に配置し得ることが認識されるべきである。「垂直」及び「水平」という用語、並びにこれらの変形の使用は通常の意味をもつが、本発明では、垂直面は、必要に応じて「ほぼ垂直に」配置され、真の垂直位置と該位置に対し約４５度の位置との間に配向されることが考慮される。「ほぼ水平に」配置される、の同様の解釈は、真の水平位置と該位置に対し約４５度の位置との間の配向を意味する。
【０１０４】
部分的に組立てられたトレーニングパンツ１０２は、コンベヤ又は他の適切な手段などの移送システムによって、シーム形成部２５０を通して機械方向１０８に運ばれる。図示された実施形態においては、トレーニングパンツ１０２は、上側折畳みコンベヤ２０６及び下側折畳みコンベヤ２０８（図２及び図８−１０）から上側位置合わせコンベヤ２５６及び下側位置合わせコンベヤ２５８（図３及び図１１−１３）に送られる。位置合わせコンベヤ２５６及び２５８は、上側の側部パネル位置決め装置２６０及び下側の側部パネル位置決め装置２６２（図３及び図１１−１３）を通してトレーニングパンツ１０２を運ぶことができる。真空コンベヤ又は非真空コンベヤなどの好適なコンベヤ機構は、種々の商業的な業者から入手可能である。或いは、移送システムは、折畳まれた製品を運ぶ手段のいずれをも含むことができる。
【０１０５】
側部パネルのラップ・シームの形成については、図１１から図１３を参照してより詳細に説明され、これらの図には、シーム形成部２５０内を連続的に進む一連の位置におけるトレーニングパンツ１０２の断面が示されている。図示された上側の側部パネル位置決め装置２６０は、前側部パネル３４がラップ・シームの内側の方の側部パネルを形成するのに備えて、その第２締結部材８４及び８５を反転させるようになっている。図示された下側の側部パネル位置決め装置２６２は、背ウエスト領域２４を修正して、第１締結部材８２及び８３が互いに内側に向くように横方向に変位させるようになっている。この実施形態では、背側部パネル１３４が、ラップ・シームの外側の方の側部パネルを形成することになる。この説明はトレーニングパンツ１０２の片側にラップ・シームを形成し、側部パネル３４及び１３４を互いに結合することに焦点が合わせられるが、ラップ・シームは、トレーニングパンツの反対側にも同様に形成できることを理解されたい。再締結可能なシーム８８は、パンツ１０２の右側及び左側に、同時に又は順次に形成することができる。
【０１０６】
図１１には、図１０に示される位置の下流で上側位置合わせコンベヤ２５６と下側位置合わせコンベヤ２５８との間に位置するトレーニングパンツ１０２が示されている。図示される位置決めコンベヤ２５６及び２５８の各々は、フレーム構造体２７０と、該フレーム構造体に関連した複数の回転式滑車２７１と、滑車によって運ばれる連続ベルト２７２を含むことができる。駆動システムとコンベヤ・シャフト（図示せず）を使用して、１つ又はそれ以上の滑車を回転駆動することができる。位置合わせコンベヤ２５６及び２５８は、真空コンベヤ又は他の適切な移送装置を含むことができる。
【０１０７】
上側の側部パネル位置決め装置２６０は、背ウエスト領域２４に正確に係合するように前側部パネル３４と締結部材８４及び８５を位置決めするのに適した装置のいずれを含むこともできる。図示された実施形態においては、上側の側部パネル位置決め装置２６０は、折畳みショルダ２８０と取付けフランジ２８２を含み、これらの部分は一体に成形されていてもよいし、別個の部品が互いに結合されたものであってもよい。成形ショルダ２８０は、段階的な湾曲を与え、前側部パネル３４が図１０に示す位置から図１１に示す下流位置まで移動する際に、該前側部パネルを折畳んで反転させることができる。図示された成形ショルダ２８０は、該成形ショルダの遠位縁の付近にリップ２８４を備え、このリップは縦中心線に向かって折り返す方向に向けられている。成形ショルダ２８０は、分離プレート２３０に関して上記したもののような低摩擦材料又は低摩擦コーティングから形成できる。成形ショルダ２８０の寸法及び位置は、ある程度までは衣類の側部パネルと締結部材の大きさに依存する。取付けフランジ２８２は、図示するような上側位置決めコンベヤ２５６に接続してもよいし、別の適切な支持体に接続してもよい。前側部パネル３４が折畳まれた後に、第２締結部材８４及び８５は、該第２締結部材の間の最初の距離より短い反転後の距離だけ互いに離間される。
【０１０８】
側部パネル３４及び１３４の一方又は両方を、必要に応じて、エアナイフ、エアバー、エアノズル、真空手段などの流体安定装置を含む種々の手段によって、のばす又は真っ直ぐにすることができる。そうした流体安定装置は、位置合わせコンベヤ２５６及び２５８又は他の好適な構造体の上又はその近傍に取付けることができる。別の実施形態においては、折畳みコンベヤ２０６及び２０８、及び／又は位置合わせコンベヤ２５６及び２５８は、高圧流体源に作動的に接続された流体マニホルドからなる流体安定装置を組み込んで、側部パネルを流体により振動させることができる。側部パネル３４及び１３４をのばす及び真っ直ぐにするのに適した機構は、Ｖｏｇｔ他に付与された１９９１年９月１０日付の米国特許第５，０４６，２７２号に開示されており、これは引用によりここに組み込まれる。「空気」及び「流体」という用語は、ここでは交換可能に用いられ、例えば周囲温度における空気などのガス状物質のいずれをも指す。特定の用途が許す限り、「流体」という用語はまた、いかなる液体媒体をも含む。
【０１０９】
図１２は、図１１に示す位置の下流位置における上側位置合わせコンベヤ２５６と下側位置合わせコンベヤ２５８との間のトレーニングパンツ１０２を示す。図１２に示すように、下側の側部パネル位置決め装置２６２は、第１締結部材８２及び８３が横方向に変位して互いに近づくように背側部パネル１３４の外形を変形させ、それにより締結部材の間の変位後の距離が最初の距離より短くなる。下側の側部パネル位置決め装置２６２は、第１締結部材８２及び８３の横方向の位置を変化させるのに適した装置のいずれをも含むことができる。図示された側部パネル位置決め装置２６２は、背ウエスト領域２４の一部を押し込んで、第１締結部材８２及び８３の間の距離を減少させる。具体的には、下側の側部パネル位置決め装置２６２は、第１締結部材８２及び８３の間の横方向の距離を減少させ、変位後の距離を最初の距離より短くして、反転された後の第２締結部材８４及び８５の間の距離に実質的に等しくすることによって、係合のために締結部材８２−８５を位置合わせすることができる。
【０１１０】
図示された下側の側部パネル位置決め装置２６２は、フレーム構造体２９０と、該フレーム構造体に配置されたガイド・プレート２９２を含むこともできるし、随意的にガイド・プレートのみを含むこともできる。ガイド・プレート２９２は、上流端の付近（図１１）ではほぼ平坦な形状にされ、より下流の方（図１２）では形付けされた表面をもつことができる。具体的には、ガイド・プレート２９２は、凹部２９７と、該凹部から縦中心線に対し横方向外側の支持部２９８とを定める。トレーニングパンツ１０２が、シーム形成部２５０を通って機械方向１０８に前進する際に、背側部パネル１３４をガイド・プレート２９２に対して引き寄せる又は押し付けることができる。図示された実施形態は、分離プレート２３０に取付けられ、かつ圧縮空気源（図示せず）に作動的に接続されたエア・バー又はエアノズル２９４などを含む。エア・バー２９４は、凹部２９７に対応する機械横方向の位置に位置決めされ、エア・バーから放出される空気によって背側部パネル１３４を凹部２９７に押し込むことができる。背側部パネル１３４が凹部２９７に押し込まれる際に、第１締結部材８２及び８３が横方向に互いに接近するように変位後距離まで変位される。ガイド・プレート２９２は、分離プレート２３０に関連して上記したような低摩擦材料又は低摩擦コーティングから形成できる。折畳みショルダ２８０のリップ２８４、分離プレート２３０、或いは他の好適な構造体又は配置を使用して、締結部材の早過ぎる係合を防ぐことができる。
【０１１１】
図１３は、図１２に示す位置の下流位置における上側位置合わせコンベヤ２５６と下側位置合わせコンベヤ２５８の間にあるトレーニングパンツ１０２を示す。締結部材８２−８５は、例えば成形ショルダのリップ２８４の下流端を通過した後に、互いに接触させることができる。ローラや流体ブラストなどの補足的なファスナ係合装置を用いて、締結部材をより積極的に係合することができる。図示するように、エア・バー２９４は、分離プレート２３０の端を越えて下流側に延びることができ、必要に応じて、ファスナを係合する間に引き続き側部パネル１３４を凹部２９７に押し込むことができる。
【０１１２】
図１４は、側部パネル位置決め装置３２０と作動的に組合わされたトレーニングパンツの一部の拡大側面図を示す。側部パネル位置決め装置３２０は、相補的に成形された表面３２６及び３２８をそれぞれ有する成形滑りプレート３２２及び３２８を備える。前側部パネル３４は、成形された表面３２６及び３２８の間に位置する状態で図示されている。成形された表面３２６及び３２８によって生じる前側部パネル３４の形付け又は成形により、第２締結部材８４及び８５の間の横方向の距離が減少する。次いで、背側部パネル１３４が矢印の方向に上向き及び内向きに折畳まれて、締結部材８３及び８５が係合される。
【０１１３】
図１５は、成形ニップ・ロール３３２上に置かれたトレーニングパンツ３３０のウエスト領域の一方の拡大断面図を示す。トレーニングパンツ３３０は、反対側のウエスト領域の嵌合締結部材（図示せず）によって再締結可能に係合される一体の側部パネル３３４を備える。したがって、側部パネル３３４は、締結部材として機能する領域を定める。図示されるような成形ニップ・ロール３３２は、支持部３３６と、該支持部の間に配置された凹部３３８を定める。トレーニングパンツ３３０は、例えば同様に成形滑りプレートによって、成形ニップ・ロール３３２に導入され、それによりウエスト領域が、成形ニップ・ロールの形になる。吸収体シャーシ３２及び／又は側部パネル３３４を、成形ニップ・ロール３３２上で成形することにより、締結部材の間の横方向の距離が減少する。成形ニップ・ロールを備える例示的な装置は、Ｄ．Ａ．Ｍａｘｔｏｎ他により２００１年５月１５日付で出願された発明の名称「衣類側部パネルの再締結可能な結合」の番号不明の米国特許出願に開示されている。
【０１１４】
図１６及び図１７は、締結部材を横方向に変位させるための他の変形例を示す。図１６においては、側部パネル３５０又はウエスト領域の他の部分を折畳んで、締結部材３５２を、縦中心線に向かって内向きにかつ他の締結部材に向けて横方向に変位させることができる。側部パネル又は他の部分は、折畳みボード、真空装置、又はエア・ノズルを用いて、締結部材３５２を反転させずに折畳むことができる。それと対照的に図１７は、反転されかつ横方向に変位された締結部材３６０を示す。この実施形態では、別個の締結部材３６０が側部パネル３６２の末端領域に取り付けられる。側部パネル３６２を、低摩擦材料からなる成形バー３６４の上へ機械方向に移動することができる。成形バー３６４の形状により、締結部材３６０が横方向内側に縦中心線に向かいかつ他の締結部材に向かって変位されることになる。更に、例えばエア・ブラスト又はエア・バーを用いて、締結部材３６０が反転されるように側部パネル３６２の末端領域を成形バー３６４の角３６６の周りに動かすことができる。
【０１１５】
図１８は、本発明によるパンツの実施形態の１つの製造についての流れ図を概略的に示す。組立部３５０において、パンツ２０の構成材が与えられ、互いに結合され、通常は互いに結合され部分的に組立てられたパンツの連続ウェブの形態とされる。特定の実施形態においては、パンツ２０は、活性化させることにより伸長又は収縮するようになった材料を含むことができる。そうした活性化可能な材料をウエスト領域の少なくとも一方に配置し、該材料がパンツの横軸に平行に伸長又は収縮するように配向することができる。組立部３５０は、ウェブを選択的に裁断して部分的に組立てられた個々のトレーニングパンツにする裁断機構を含むことができる。次いで、折畳み部３５２において、適切な折畳み機構のいずれかを用いて個々のトレーニングパンツ２０を半分に折畳むことができる。
【０１１６】
トレーニングパンツ２０は、必ずというわけではないが折畳み部３５２の後に、活性化部３５４に移送されることになる。活性化部３５４は、活性化可能な材料の伸長又は収縮を生じさせるために、加熱ユニットなどの活性化源を含むことができる。本工程に使用可能な活性化源の例は、Ｓａｌｌｅｅ他に付与された１９８７年２月３日付の米国特許第４，６４０，７２６号と、Ｐｏｍｐｌｕｎ他に付与された１９８７年５月５日付の米国特許第４，６６３，１０６号に開示されており、これらは引用によりここに組み込まれる。図示された実施形態においては、締結部材８２−８５を係合させる前に、活性化可能な材料の少なくとも一部が活性化されて伸長又は収縮することになる。例として、トレーニングパンツのウエスト弾性部材５４及び５６、側部パネル３４及び１３４、及び／又は他の構成材は、活性化可能な材料を含むことができる。
【０１１７】
活性化可能な材料の伸長又は収縮によって、ウエスト領域の一方の締結部材８２及び８３又は締結部材８４及び８５が、互いに離れるように又は近づくように横方向に変位される。したがって、締結部材の間の変位後の距離は、該締結部材の間の最初の距離とは異なる。具体的には、活性化可能な材料が活性化によって伸長すれば距離は増大し、活性化可能な材料が活性化によって収縮すれば距離は減少する。活性化部３５４は、製造作業の別個の段階から構成されていても良いし、別の段階に組み込まれていても良い。活性化は、折畳み前、折畳み中、又は折畳み後に生じ得る。
【０１１８】
トレーニングパンツ２０は、次にシーム形成部３５６に移送され、そこでウエスト領域が接合されて再締結可能なシーム８８が形成される。ウエスト領域２２及び２４は、活性化前、活性化中、又は活性化後に、ラップ・シームを形成するために、重なる構成に位置決めすることができ、締結部材は活性化後に係合されることが望ましい。締結部材が係合された後に、予め締結され再締結可能な複数のパンツをシール・パッケージに入れるための包装作業を含む種々の仕上げステーション２５４を通して、トレーニングパンツ２０を処理することができる。
【０１１９】
ここで開示された工程を用いて多種多様の構成をもつパンツを製造することができる。そうした構成は、例えば、同じ幅の前ウエスト領域と背ウエスト領域を有するパンツ、一方のウエスト領域が他方より広いパンツ、着用者の側部に配置される再締結可能なシームを備えたパンツ、着用者の側部より前方又は後方に配置される再締結可能なシームを備えたパンツ、初めに同一の主要な表面にファスナが形成されたパンツ、及び、初めに相対する主要な表面にファスナが形成されたパンツを含む。ここに開示する工程は、そうしたパンツ構成のいずれにも対応するようになっている。例えば、一方のウエスト領域のみ反転させる及び／又は横方向に変位させること、両方のウエスト領域を反転させて横方向に変位させること、又は両方とも反転させ、かつ横方向に変位させること、或いは、一方のウエスト領域を反転させる及び／又は横方向に変位させることと、他方のウエスト領域を反転させる及び／又は横方向に変位させることの他の組み合わせが可能である。更に、他方のウエスト領域より幅が広い、狭い、又は幅が同じであるウエスト領域を、横方向内側又は外側に変位するか、又は反転させて横方向内側又は外側に変位させることができる。多くの可能な組み合わせのうちの幾つかは以下を含む。即ち、一方のウエスト領域のファスナを単に横方向内側又は外側に変位させること、同じ幅のウエスト領域をもつパンツにおいて、一方のウエスト領域のファスナを反転させて横方向内側又は外側に変位させること、一方のウエスト領域の幅が他方のウエスト領域より狭いパンツにおいて、広い方のウエスト領域のファスナを反転させ、狭い方のウエスト領域のファスナを横方向外側に変位させること、一方のウエスト領域の幅が他方のウエスト領域より狭いパンツにおいて、狭い方のウエスト領域のファスナを反転させ、広い方のウエスト領域のファスナを横方向内側に変位させること等を含む。
【０１２０】
説明のために与えられた上記の実施形態の詳細は、本発明の特許請求の範囲を限定するものとして解釈されるべきではないことが理解されるであろう。本発明の例示的な実施形態のうちのごく少数が上記で詳細に説明されたが、本発明の新規な教示及び利点から大幅に逸脱することなく、この例示的な実施形態に多くの修正が可能であることを当業者は容易に理解するであろう。例えば、１つの実施形態に関して記載された特徴は、本発明の他の実施形態のいずれにも組み込まれることが可能である。従ってそうした修正の全てが、以下の請求項及びその均等物に定義される本発明の特許請求の範囲に含まれることが意図される。更に、多くの実施形態は、実施形態の幾つかの利点、特に好ましい実施形態の利点の全てを達成するとは限らないと考えられ、特定の利点の欠如は、必ずしもそうした実施形態が本発明の範囲外にあることを含意すると解釈されない。
【図面の簡単な説明】
【図１】  トレーニングパンツなどの衣類を形成する組立部の例示的な実施形態の概略図である。
【図２】  図１に示す組立部に後続する、トレーニングパンツなどの衣類を製造する折畳み部の例示的な実施形態の概略的な側面図である。
【図３】  図２に示す折畳み部に後続する、本発明に係る衣類を形成する方法及び装置の一実施形態の概略的な側面図である。
【図４】  トレーニングパンツの一方の側部が係合され、該トレーニングパンツの他方の側部が外された状態の締結システムを示す、図１から図３までに示す工程及び装置により形成されるトレーニングパンツの側面図である。
【図５】  着用者と反対側になるトレーニングパンツの表面を示す、締結されていない伸ばされ平らに置かれた状態の図４に示すトレーニングパンツの平面図である。
【図６】  トレーニングパンツの着用時に着用者側になるトレーニングパンツの表面を示し、下にある特徴を示すため部分的に切り取られた、図５と同様の平面図である。
【図７】  図１に示す組立部内の或る位置における連続的に移動する集合体の一部を示す図である。
【図８】  図２に示す折畳み部の拡大側面図である。
【図９】  図２に示す折畳み部の一部の上面図である。
【図１０】  図２、図８及び図９に示す折畳み部内の或る位置におけるトレーニングパンツの一部の拡大断面図である。
【図１１】  図３に示すシーム形成部内の一連の位置におけるトレーニングパンツの一部の拡大断面図である。
【図１２】  図３に示すシーム形成部内の一連の位置におけるトレーニングパンツの一部の拡大断面図である。
【図１３】  図３に示すシーム形成部内の一連の位置におけるトレーニングパンツの一部の拡大断面図である。
【図１４】  側部パネル位置決め装置により作動的に位置決めされたトレーニングパンツの一部の拡大断面図である。
【図１５】  成形ニップ・ロール上に配置されたトレーニングパンツのウエスト領域の一方の拡大断面図である。
【図１６】  ウエスト領域が折り畳まれて締結部材が横方向に変位されている、製造工程中のパンツのウエスト領域の一部の拡大断面図である。
【図１７】  成形バーの上に移動されて、その締結部材が反転され横方向に変位されたウエスト領域の側部パネルを示す、製造工程中のパンツのウエスト領域の一部の別の拡大断面図である。
【図１８】  本発明に係るパンツの一実施形態の製造についての概略的に示す流れ図である。
【図１】
0004719400.tif 000002
【図２】
0004719400.tif 000003
【図３】
0004719400.tif 000004
【図４】
0004719400.tif 000005
【図５】
0004719400.tif 000006
【図６】
0004719400.tif 000007
【図７】
0004719400.tif 000008
【図８】
0004719400.tif 000009
【図９】
0004719400.tif 000010
【図１０】
0004719400.tif 000011
【図１１】
0004719400.tif 000012
【図１２】
0004719400.tif 000013
【図１３】
0004719400.tif 000014
【図１４】
0004719400.tif 000015
【図１５】
0004719400.tif 000016
【図１６】
0004719400.tif 000017
【図１７】
0004719400.tif 000018
【図１８】
0004719400.tif 000019